(57)【特許請求の範囲】
【請求項１】
実行可能命令を含む非一時的コンピュータ可読媒体であって、実行可能命令は、プロセッサによって実行されると、前記プロセッサが、
機械を非破壊的に観察するように構成されたセンサを有する非破壊試験（ＮＤＴ）デバイスを、外部システムに自動的に通信可能に結合し、
デジタルコンテンツの更新が前記外部システム上に格納されたことの通知を、前記外部システムから自動的に受け取り、
前記通知に基づいて、機器タイプ識別情報を前記外部システムに送信し、
前記デジタルコンテンツの前記更新に基づいて、空間要件を受信し、
メモリ空間を前記空間要件と比較し、前記メモリ空間が前記空間要件より大きい場合、前記機器タイプ識別情報に基づいて前記デジタルコンテンツの前記更新を受信する
ようにさせ、
前記機器タイプ識別情報は、検査される機器のタイプを識別し、
前記デジタルコンテンツは、前記ＮＤＴデバイスによって実行されるか、使用されるか、又は表示される、或はその組合せを行うように構成され、
前記デジタルコンテンツは、デジタル機器マニュアル、検査手順、訓練手順、規制文書、規定手順、オーディオ、ビデオ、テキスト、マルチメディア、インタラクティブコンピュータシミュレーション、デバイスドライバ、ファームウェア、コンフィギュレーションファイル、コンフィギュレーション関連ファイル、ＮＤＴ実行可能アプリケーション、アプリケーションプログラミングインタフェース（ＡＰＩ）、またははその組合せを含む、
非一時的コンピュータ可読媒体。
【請求項２】
前記プロセッサは、前記通知を受け取ると、前記機器タイプ識別情報を前記外部システムに自動的に送信するように構成される、請求項１に記載の非一時的コンピュータ可読媒体。
【請求項３】
前記プロセッサは、前記デジタルコンテンツに対する更新の通知後に、前記デジタルコンテンツを自動的に受信するように構成される、請求項２に記載の非一時的コンピュータ可読媒体。
【請求項４】
前記デジタルコンテンツの更新の前記通知は、前記デジタルコンテンツに対する追加、削除、又は更新に基づく自動通知を含む、請求項３に記載の非一時的コンピュータ可読媒体。
【請求項５】
前記ＮＤＴデバイスは、入力デバイスを備え、
前記プロセッサは、前記機器タイプを決定するために、前記入力デバイスからの入力を読むように構成される、
請求項１から４のいずれかに記載の非一時的コンピュータ可読媒体。
【請求項６】
前記入力デバイスがスキャナを含む、請求項５に記載の非一時的コンピュータ可読媒体。
【請求項７】
前記プロセッサは、前記機器タイプ識別情報を送信した後に前記ＮＤＴデバイスに含まれるメモリから第２のデジタルコンテンツを削除する命令を受信するように構成される、請求項１から６のいずれかに記載の非一時的コンピュータ可読媒体。
【請求項８】
前記プロセッサは、前記機器タイプ識別情報を送信した後に前記ＮＤＴデバイスに含まれるメモリから第２のデジタルコンテンツを修正する命令を受信するように構成される、請求項１から７のいずれかに記載の非一時的コンピュータ可読媒体。
【請求項９】
前記ＮＤＴデバイスは、前記プロセッサを有する、ボアスコープ、パンチルトズーム（ＰＴＺ）カメラ、超音波検査デバイス、渦電流検査デバイス、Ｘ線検査デバイス、又はその組合せを備える、請求項１から８のいずれかに記載の非一時的コンピュータ可読媒体。
【請求項１０】
メモリ、センサ、及びプロセッサを備える非破壊試験（ＮＤＴ）デバイスを備えるシステムであって、前記プロセッサは、
機械を非破壊的に観察するように構成された前記センサを有する前記ＮＤＴデバイスを、外部システムに自動的に通信可能に結合し、
デジタルコンテンツの更新が前記外部システム上に格納されたことの通知を、前記外部システムから自動的に受け取り、
機器タイプ識別情報を前記外部システムに送信し、
前記デジタルコンテンツの前記更新に基づいて、空間要件を受信し、
前記機器タイプ識別情報に基づいてデジタルコンテンツを追加するか、修正するか、又は削除する命令を受信し、
前記命令を実行する、
ように構成され、
前記機器タイプ識別情報は、検査される機器のタイプを識別し、
前記メモリは、前記デジタルコンテンツを格納し、
前記デジタルコンテンツは、デジタル機器マニュアル、検査手順、訓練手順、規制文書、規定手順、オーディオ、ビデオ、テキスト、マルチメディア、インタラクティブコンピュータシミュレーション、デバイスドライバ、ファームウェア、コンフィギュレーションファイル、コンフィギュレーション関連ファイル、ＮＤＴ実行可能アプリケーション、アプリケーションプログラミングインタフェース（ＡＰＩ）、またははその組合せを含む、
システム。
【請求項１１】
前記デジタルコンテンツを追加するか又は修正する前記命令は、オンラインストアから前記デジタルコンテンツをダウンロードする命令を含む、請求項１０に記載のシステム。
【請求項１２】
前記プロセッサは、前記通知を受け取ると、前記機器タイプ識別情報を前記外部システムに自動的に送信するように構成される、請求項１０または１１に記載のシステム。
【請求項１３】
前記プロセッサは、前記通知の後に、前記デジタルコンテンツを自動的に受信するように構成される、請求項１０から１２のいずれかに記載のシステム。
【請求項１４】
複数の非破壊試験（ＮＤＴ）デバイスを同期させる方法であって、
デジタルコンテンツの更新が外部システム上に格納されたことに基づいて、同期のために前記複数のＮＤＴデバイスを自動的に選択するステップと、
前記外部システムから前記複数のＮＤＴデバイスのそれぞれに、前記更新の通知を自動的に送信するステップと、
それぞれのＮＤＴデバイスから前記外部システムに、機器タイプ識別情報を送信するステップと、
それぞれのＮＤＴデバイスにおいて、前記デジタルコンテンツの更新に基づいて空間要件を受信するステップと、
それぞれのＮＤＴデバイスにおいて、メモリ空間を前記空間要件と比較し、前記メモリ空間が前記空間要件より大きい場合、前記機器タイプ識別情報に基づいて前記デジタルコンテンツの更新を受信するステップと、
を含み、
前記機器タイプ識別情報は、検査される機器のタイプを識別し、
前記デジタルコンテンツは、前記ＮＤＴデバイスによって実行されるか、使用されるか、又は表示される、或はその組合せを行うように構成され、
前記デジタルコンテンツは、デジタル機器マニュアル、検査手順、訓練手順、規制文書、規定手順、オーディオ、ビデオ、テキスト、マルチメディア、インタラクティブコンピュータシミュレーション、デバイスドライバ、ファームウェア、コンフィギュレーションファイル、コンフィギュレーション関連ファイル、ＮＤＴ実行可能アプリケーション、アプリケーションプログラミングインタフェース（ＡＰＩ）、またははその組合せを含む、
方法。
【請求項１５】
前記通知を受信すると、前記機器タイプ識別情報を前記外部システムに自動的に送信するステップを含む、請求項１４に記載の方法。
【請求項１６】
前記メモリ空間が前記空間要件より大きいことを判定した後に、前記デジタルコンテンツを自動的に受信するステップを含む、請求項１４または１５に記載の方法。
【請求項１７】
前記複数のＮＤＴデバイスのうちの第１のＮＤＴデバイスは、入力デバイスとプロセッサとを備え、
前記プロセッサは、特定の機器タイプを決定し、前記入力に基づく前記特定の機器タイプの検査を目的とするカスタマイズされたデジタルコンテンツをダウンロードするために、前記入力デバイスからの入力を読むように構成される、
請求項１４から１６のいずれかに記載の方法。
【請求項１８】
前記カスタマイズされたデジタルコンテンツは、前記カスタマイズデジタルコンテンツを実行するか、使用するか、又は表示するライセンスに基づいて導出される、請求項１７に記載の方法。
【発明の詳細な説明】
【技術分野】
【０００１】
本明細書で開示される主題は、非破壊試験（ＮＤＴ）デバイスに関し、特に、ＮＤＴエコシステム用のシステム及び方法に関する。
【背景技術】
【０００２】
発電機器及び設備、オイル及びガス機器及び設備、航空機機器及び設備、製造機器及び設備、並びに同様なもの等の或る機器及び設備は、複数の相互に関係するシステム及びプロセスを含む。例えば、発電プラントは、タービンシステムを運転し維持するためのタービンシステム及びプロセスを含み得る。同様に、オイル及びガス運転は、パイプラインを介して相互接続される炭素質燃料取出しシステム及び処理機器を含み得る。同様に、航空機システムは、耐空性を維持し、メンテナンス支援を提供するときに有用な飛行機及びメンテナンス格納庫を含み得る。機器運転中に、機器は、劣化し、コロージョン、摩耗、損耗等のような望ましくない状態に遭遇し、おそらくは全体的な機器有効性に影響を及ぼす。非破壊検査技法又は非破壊試験（ＮＤＩ：ｎｏｎ−ｄｅｓｔｒｕｃｔｉｖｅ  ｔｅｓｔｉｎｇ）技法等の検査技法は、望ましくない機器状態を検出するために使用され得る。
【０００３】
従来のＮＤＴシステムでは、データが、可搬型メモリデバイス、用紙を使用して、又は電話を通して他のＮＤＴオペレータ又は要員と共有され得る。したがって、ＮＤＴ要員の間でデータを共有する時間量は、物理的な可搬型メモリデバイスがそのターゲットに物理的に発送される速度に主に依存し得る。したがって、例えば、種々のシステム及び機器をより効率的に試験し検査するため、ＮＤＴシステムのデータ共有能力を改善することが有利であることになる。
【先行技術文献】
【特許文献】
【０００４】
【特許文献１】米国特許出願公開第２００４／１２７１９６号明細書
【発明の概要】
【０００５】
最初に特許請求される本発明と範囲が一致するいくつかの実施形態が以下で要約される。これらの実施形態は、特許請求される本発明の範囲を制限することを意図されるのではなく、むしろ、これらの実施形態は、本発明の考えられる形態の簡潔な要約を提供することだけを意図される。実際には、本発明は、以下で述べる実施形態と同様であるか又は異なり得る種々の形態を包含し得る。
【０００６】
一実施形態では、非一時的コンピュータ可読媒体は、実行可能命令を含むことができ、実行可能命令は、プロセッサによって実行されると、プロセッサが、デバイス識別情報を送信し、デジタルコンテンツに基づいて空間要件を受信するようにさせる。命令は、更に、プロセッサが、メモリ空間を空間要件と比較し、メモリ空間が空間要件より大きい場合、デバイス識別情報に基づいてデジタルコンテンツを受信するようにさせ、デジタルコンテンツは、非破壊試験（ＮＤＴ）デバイスによって実行されるか、使用されるか、又は表示される、或はその組合せを行うように構成される。
【０００７】
別の実施形態では、システムは、メモリ及びプロセッサを備える非破壊試験（ＮＤＴ）デバイスを含むことができ、プロセッサは、デバイス識別情報を送信し、デバイス識別情報に基づいてデジタルコンテンツを追加するか、更新するか、又は削除する命令を受信するように構成される。プロセッサは、更に、命令を実行するように構成され、メモリはデジタルコンテンツを格納するように構成される。
【０００８】
更に別の実施形態では、方法は、同期化オプションを選択すること、及び、デバイス識別情報を送信することを含むことができる。方法は、更に、デジタルコンテンツに基づいて空間要件を受信すること、及び、メモリ空間を空間要件と比較し、メモリ空間が空間要件より大きい場合、デバイス識別情報に基づいてデジタルコンテンツを受信することを含むことができ、デジタルコンテンツは、非破壊試験（ＮＤＴ）デバイスによって実行されるか、使用されるか、又は表示される、或はその組合せを行うように構成される。
【０００９】
本発明のこれらのまた他の特徴、態様、及び利点は、図面全体を通して同じ記号が同じ部品を示す、添付図面を参照して以下の説明が読まれるときによりよく理解されるであろう。
【図面の簡単な説明】
【００１０】
【図１】モバイルデバイスを含む分散型非破壊試験（ＮＤＴ）システムの或る実施形態を示すブロック図である。
【図２】図１の分散型ＮＤＴシステムの或る実施形態の更なる詳細を示すブロック図である。
【図３】図１のモバイルデバイスに通信可能に結合されたボアスコープシステム１４及び「クラウド（ｃｌｏｕｄ）」の或る実施形態を示す正面図である。
【図４】図１のモバイルデバイスに通信可能に結合されたパンチルトズーム（ＰＴＺ：ｐａｎ−ｔｉｌｔ−ｚｏｏｍ）カメラシステムの或る実施形態の図である。
【図５】計画し、検査し、分析し、報告し、検査データ等のデータを共有するための分散型ＮＤＴシステムを使用するときに有用なプロセスの或る実施形態を示すフローチャートである。
【図６】ワイヤレスコンジットを通る情報の流れの或る実施形態のブロック図である。
【図７】図１のＮＤＴ検査システムのリモート制御において有用な情報のワイヤレスコンジットを通る情報の流れの一実施形態のブロック図である。
【図８】ＮＤＴエコシステムの一実施形態のブロック図である。
【図９】図８のＮＤＴエコシステムによって管理されるデジタルコンテンツの複数の実施形態の図である。
【図１０】ＮＤＴアイテムを購入するための、図８のＮＤＴエコシステムを使用するためのプロセスの一実施形態のフローチャートである。
【図１１】ライセンスを追加するか又は削除するための、図８のＮＤＴエコシステムを使用するためのプロセスの一実施形態のフローチャートである。
【図１２】ＮＤＴ検査デバイスを同期化するために、図８のＮＤＴエコシステムを使用するためのプロセスの一実施形態のフローチャートである。
【図１３】ＮＤＴ検査デバイスを管理するために、図８のＮＤＴエコシステムを使用するためのプロセスの一実施形態のフローチャートである。
【発明を実施するための形態】
【００１１】
１つ又は複数の特定の実施形態が以下で述べられる。これらの実施形態の簡潔な説明を提供しようとして、実際の実装態様の全てが本明細書で述べられるわけではない。こうしたいかなる実際の実装形態の開発においても、いかなる工学的又は設計上の計画におけるのと同様に、実装形態ごとに異なり得るシステム関連制約及びビジネス関連制約に関する適合等の、開発者の特定の目標を達成するための多数の実装態様固有の意思決定が行われなければならないことが認識されるべきである。更に、こうした開発努力は、煩雑で時間がかかるが、それでも、本開示の利益を受ける当業者にとって、設計、製作、製造の日常的な仕事であることが認識されるべきである。
【００１２】
本発明の種々の実施形態の要素を導入するとき、冠詞「或る（ａ）」、「或る（ａｎ）」、「その（ｔｈｅ）」、及び「前記（ｓａｉｄ）」は、その要素の１つ又は複数が存在することを意味することが意図される。「備える（ｃｏｍｐｒｉｓｉｎｇ）」、「含む（ｉｎｃｌｕｄｉｎｇ）」、及び「有する（ｈａｖｉｎｇ）」という用語は、包含的であることを意図され、挙げた要素以外の更なる要素が存在し得ることを意味する。
【００１３】
本開示の実施形態は、非破壊試験（ＮＤＴ）又は検査システムを含む種々の検査及び試験技法に適用され得る。ＮＤＴシステムでは、ボアスコープ検査、溶接検査、遠隔目視検査、ｘ線検査、超音波検査、渦電流検査、及び同様なもの等の或る技法が使用されて、限定はしないが、コロージョン、機器の摩耗及び損耗、割れ、漏洩等を含む種々の状態を分析し検出し得る。本明細書で述べる技法は、ボアスコープ検査、遠隔目視検査（例えば、遠隔操作式車両を使用する検査）、ｘ線検査、超音波検査、及び／又は渦電流検査に適した改良型ＮＤＴシステムを提供し、強化されたデータ収集、データ分析、データストレージ／アーカイブ、検査／試験プロセス、及びＮＤＴ協働技法を可能にする。
【００１４】
本明細書で述べる改良型ＮＤＴシステムは、検査機器を、タブレット、スマートフォン、及び拡張現実メガネ等のモバイルデバイスに；ノートブック、ラップトップ、ワークステーション、パーソナルコンピュータ等のコンピューティングデバイスに；クラウドベースＮＤＴエコシステム、クラウド分析、クラウドベース協働及びワークフローシステム、分散型コンピューティングシステム、エキスパートシステム及び／又は知識ベースシステム等の「クラウド（ｃｌｏｕｄ）」コンピューティングシステムに通信可能に結合するのに適したワイヤード又はワイヤレスコンジットを使用する検査機器を含み得る。実際には、本明細書で述べる技法は、強化されたＮＤＴデータ収集、分析、及びデータ分配を提供し、したがって、望ましくない状態の検出を改善し、メンテナンス活動を強化し、設備及び機器の投資に対する見返り（ＲＯＩ：ｒｅｔｕｒｎｓ  ｏｎ  ｉｎｖｅｓｔｍｅｎｔ）を増加させ得る。
【００１５】
一実施形態では、ニューヨーク州スケネクタディ（Ｓｃｈｅｎｅｃｔａｄｙ，Ｎｅｗ  Ｙｏｒｋ）のＧｅｎｅｒａｌ  Ｅｌｅｃｔｒｉｃ，Ｃｏ．から入手可能なタブレット等のタブレットは、ニューヨーク州スケネクタディのＧｅｎｅｒａｌ  Ｅｌｅｃｔｒｉｃ，Ｃｏ．から入手可能なＭＥＮＴＯＲ（商標）ＮＤＴ検査デバイス等のＮＤＴ検査デバイス（例えば、ボアスコープ、輸送可能パンチルトズームカメラ、渦電流デバイス、ｘ線検査デバイス、超音波検査デバイス）に通信可能に結合され、例えば、ＮＤＴ検査デバイスに対して、強化されたワイヤレスディスプレイ能力、遠隔制御、データ分析、及び／又はデータ通信を提供するために使用され得る。他のモバイルデバイスが使用され得るが、タブレットの使用は、しかし、テーブルが、より大きく解像度がより高いディスプレイ、より強力な処理コア、メモリの増加、及び電池寿命の改善を提供し得る限りでは適切である。タブレット（又は他の同様なデバイス）を使用することはまた、入手可能なツールキットを使用するサードパーティ開発を可能にする。例えば、タブレットを通してデータを流すことは、同じプラットフォーム又はオペレーティングシステム（ＯＳ）上で開発するサードパーティ開発者と情報を交換する道を我々に開く。したがって、タブレットは、データの視覚化の改善、検査デバイスの操作制御の改善、並びに、複数の外部システム及びエンティティに対する協働的共有の拡張等の或る問題に対処し得る。
【００１６】
上記を念頭に置いて、本開示は、ＮＤＴシステムから採取されるデータを共有すること、ＮＤＴシステム内でのアプリケーション及び／又はデバイスの制御、並びにデータアーカイブ／ストレージを対象とする。一般に、ＮＤＴシステムから生成されるデータは、本明細書で開示される技法を使用して種々の人々又は人々のグループに自動的に分配され得る。更に、ＮＤＴシステム内のデバイスをモニターするかつ／又は制御するために使用されるアプリケーションによって表示されるコンテンツは、個人の間で共有されて、ＮＤＴシステム内のデバイスをモニターし制御するための仮想的協働的環境を生成し得る。
【００１７】
導入によって、また、ここで図１を考えると、図は、分散型ＮＤＴシステム１０の或る実施形態のブロック図である。示す実施形態では、分散型ＮＤＴシステム１０は、１つ又は複数のＮＤＴ検査デバイス１２を含み得る。ＮＤＴ検査デバイス１２は、少なくとも２つのカテゴリに分割され得る。図１に示す１つのカテゴリでは、ＮＤＴ検査デバイス１２は、種々の機器及び環境を目視検査するのに適したデバイスを含み得る。以下の図２に関してより詳細に述べる別のカテゴリでは、ＮＤＴ検査デバイス１２は、ｘ線検査モダリティ、渦電流検査モダリティ、及び／又は超音波検査モダリティ等の目視検査モダリティに対する代替物を提供するデバイスを含み得る。
【００１８】
図１の示す第１の例示的なカテゴリでは、ＮＤＴ検査デバイス１２は、１つ又は複数のプロセッサ１５及びメモリ１７を有するボアスコープ１４並びに１つ又は複数のプロセッサ１９及びメモリ２１を有するパンチルトズーム（ＰＴＺ）カメラ１６を含み得る。目視検査デバイスのこの第１のカテゴリでは、ボアスコープ１４及びＰＴＺカメラ１６が使用されて、例えば、ターボ機械１８及び設備又はサイト２０を検査し得る。示すように、ボアスコープ１４及びＰＴＺカメラ１６は、１つ又は複数のプロセッサ２３及びメモリ２５を同様に有するモバイルデバイス２２に通信可能に結合され得る。モバイルデバイス２２は、例えば、タブレット、セルフォン（例えば、スマートフォン）、ノートブック、ラップトップ、又は任意の他のモバイルコンピューティングデバイスを含み得る。しかし、タブレットの使用は、タブレットがスクリーンサイズ、重量、計算パワー、及び電池寿命の間で良好なバランスを提供する限り適切である。したがって、一実施形態では、モバイルデバイス２２は、ニューヨーク州スケネクタディのＧｅｎｅｒａｌ  Ｅｌｅｃｔｒｉｃ，Ｃｏ．から入手可能な上述したタブレットであり、タッチスクリーン入力を提供し得る。モバイルデバイス２２は、種々のワイヤレス又はワイヤードコンジットを通してボアスコープ１４及び／又はＰＴＺカメラ１６等のＮＤＴ検査デバイス１２に通信可能に結合され得る。例えば、ワイヤレスコンジットは、ＷｉＦｉ（例えば、米国電気電子学会（Ｉｎｓｔｉｔｕｔｅ  ｏｆ  Ｅｌｅｃｔｒｉｃａｌ  ａｎｄ  Ｅｌｅｃｔｒｏｎｉｓ  Ｅｎｇｉｎｅｅｒｓ）［ＩＥＥＥ］８０２．１１Ｘ）、セルラーコンジット（例えば、高速パケットアクセス［ＨＳＰＡ：ｈｉｇｈ  ｓｐｅｅｄ  ｐａｃｋｅｔ  ａｃｃｅｓｓ］、ＨＳＰＡ＋、ロングタームエボリューション［ＬＴＥ：ｌｏｎｇ  ｔｅｒｍ  ｅｖｏｌｕｔｉｏｎ］、ＷｉＭａｘ）、近接場通信（ＮＦＣ：ｎｅａｒ  ｆｉｅｌｄ  ｃｏｍｍｕｎｉｃａｔｉｏｎ）、ブルートゥース、パーソナルエリアネットワーク（ＰＡＮ：ｐｅｒｓｏｎａｌ  ａｒｅａ  ｎｅｔｗｏｒｋ）、及び同様なものを含み得る。ワイヤレスコンジットは、ＴＣＰ／ＩＰ、ＵＤＰ、ＳＣＴＰ、ソケットレイヤ等のような種々の通信プロトコルを使用し得る。いくつかの実施形態では、ワイヤレス又はワイヤードコンジットは、セキュアソケットレイヤ（ＳＳＬ：ｓｅｃｕｒｅ  ｓｏｃｋｅｔ  ｌａｙｅｒ）、バーチャルプライベートネットワーク（ＶＰＮ：ｖｉｒｔｕａｌ  ｐｒｉｖａｔｅ  ｎｅｔｗｏｒｋ）レイヤ、暗号化レイヤ、チャレンジキー認証レイヤ、トークン認証レイヤ等のようなセキュアレイヤを含み得る。ワイヤードコンジットは、プロプライエタリケーブリング、ＲＪ４５ケーブリング、同軸ケーブル、光ファイバケーブル等を含み得る。
【００１９】
更に又は代替的に、モバイルデバイス２２は、「クラウド」２４を通してボアスコープ１４及び／又はＰＴＺカメラ１６等のＮＤＴ検査デバイス１２に通信可能に結合され得る。実際には、限定はしないが、ＨＴＴＰ、ＨＴＴＰＳ、ＴＣＰ／ＩＰ、サービス指向アーキテクチャ（ＳＯＡ：ｓｅｒｖｉｃｅ  ｏｒｉｅｎｔｅｄ  ａｒｃｈｉｔｅｃｔｕｒｅ）プロトコル（例えば、シンプルオブジェクトアクセスプロトコル［ＳＯＡＰ：ｓｉｍｐｌｅ  ｏｂｊｅｃｔ  ａｃｃｅｓｓ  ｐｒｏｔｏｃｏｌ］、ウェブサービス記述言語（ＷＳＤＬ：ｗｅｂ  ｓｅｒｖｉｃｅｓ  ｄｅｓｃｒｉｐｔｉｏｎ  ｌａｎｇｕａｇｅ））を含むクラウド２４コンピューティング及び通信技法（例えば、クラウドコンピューティングネットワーク）を使用して、検査を受けようとする物理的場所から遠隔の地理的場所を含む、任意の地理的場所からＮＤＴ検査デバイス１２にインタフェースし得る。更に、一実施形態では、モバイルデバイス２２は、「ホットスポット（ｈｏｔ  ｓｐｏｔ）」機能を提供することができ、「ホットスポット」機能において、モバイルデバイス２２は、ＮＤＴ検査デバイス１２を、クラウド２４内の他のシステムに接続するのに適したワイヤレスアクセスポイント（ＷＡＰ：ｗｉｒｅｌｅｓｓ  ａｃｃｅｓｓ  ｐｏｉｎｔ）機能を提供し得る。したがって、協働は、マルチパーティワークフロー、データ収集、及びデータ分析を提供することによって増強され得る。
【００２０】
例えば、ボアスコープオペレータ２６は、１つの場所でボアスコープ１４を物理的に操作することができ、一方、モバイルデバイスオペレータ２８は、モバイルデバイス２２を使用して、遠隔制御技法を通して、第２の場所でボアスコープ１４にインタフェースし、ボアスコープ１４を物理的に操作し得る。第２の場所は、第１の場所に近接し得る、又は、第１の場所から地理的に遠くにあり得る。同様に、カメラオペレータ３０は、第３の場所でＰＴＺカメラ１６を物理的動作させることができ、モバイルデバイスオペレータ２８は、モバイルデバイス２２を使用することによって、第４の場所でＰＴＺカメラ１６を遠隔制御することができる。第４の場所は、第３の場所に近接し得る、又は、第３の場所から地理的に遠くにあり得る。オペレータ２６及び３０によって実施されるに任意の制御アクション及び全ての制御アクションは、モバイルデバイス２２を通してオペレータ２８によって更に実施され得る。更に、オペレータ２８は、ボイスオーバＩＰ（ＶＯＩＰ）、バーチャルホワイトボーディング、テキストメッセージ、及び同様なもの等の技法を通して、デバイス１４、１６、及び２２を使用することによって、オペレータ２６及び／又は３０と通信し得る。オペレータ２６、オペレータ２８、及びオペレータ３０の間で遠隔協働技法を提供することによって、本明細書で述べる技法は、強化されたワークフローを提供し、リソース効率を上げ得る。実際には、非破壊試験プロセスは、モバイルデバイス２２、ＮＤＴ検査デバイス１２、及びクラウド２４に接続される外部システムとのクラウド２４の通信可能な結合にレバレジをかけ得る。
【００２１】
１つの動作モードでは、モバイルデバイス２２が、ボアスコープオペレータ２６及び／又はカメラオペレータ３０によって動作させられて、例えば、以下でより詳細に述べるように、モバイルデバイス２２によって提供されるより大きなスクリーンディスプレイ、よりパワフルなデータ処理、並びに種々のインタフェース技法にレバレジをかけ得る。実際には、モバイルデバイス２２は、それぞれのオペレータ２６及び３０によってデバイス１４及び１６と一緒に又はそれらと連携して動作させられ得る。この向上した柔軟性は、人リソースを含むリソースのよりよい利用及び改善された検査結果を提供する。
【００２２】
オペレータ２８によって制御されようと、オペレータ２６によって制御されようと、及び／又はオペレータ３０によって制御されようと、ボアスコープ１４及び／又はＰＴＺカメラ１６は、いろいろな機器及び設備を目視検査するために使用され得る。例えば、ボアスコープ１４は、ターボ機械１８の複数のボアスコープポート及び他の場所に挿入されて、ターボ機械１８のいくつかのコンポーネントの照明及び目視観察を提供し得る。示す実施形態では、ターボ機械１８は、炭素質燃料を機械的動力に変換するのに適するガスタービンとして示される。しかし、圧縮機、ポンプ、ターボエキスパンダ、風力タービン、水力タービン、産業用機器、及び／又は住居用機器を含む他の機器タイプが検査され得る。ターボ機械１８（例えば、ガスタービン）は、本明細書で述べるＮＤＴ検査デバイス１２によって検査され得る種々のコンポーネントを含み得る。
【００２３】
上記を念頭に置いて、本明細書で開示される実施形態を使用することによって検査され得る或るターボ機械１８のコンポーネントを論じることが有益であり得る。例えば、図１に示すターボ機械１８の或るコンポーネントは、コロージョン、エロージョン、割れ、漏れ、溶接検査等について検査され得る。ターボ機械１８等の機械システムは、運転状態中に機械応力及び熱応力を受け、或るコンポーネントの定期的検査を必要とし得る。ターボ機械１８の運転中に、天然ガス又は合成ガス等の燃料は、ターボ機械１８に送られ、１つ又は複数の燃料ノズル３２を通って燃焼器３６に入り得る。空気は、空気取込みセクション３８を通してターボ機械１８に入り、圧縮機３４によって圧縮され得る。圧縮機３４は、空気を圧縮する一連の段４０、４２、及び４４を含み得る。各段は、回転して、圧力を徐々に増加させ、それにより、圧縮空気を提供する固定ベーン４６及びブレード４８の１つ又は複数のセットを含み得る。ブレード４８は、シャフト５２に接続された回転ホイール５０に取付けられ得る。圧縮機３４からの圧縮された排出空気は、ディフューザセクション５６を通って圧縮機３４を出て、燃焼器３６に向けられて、燃料と混合し得る。例えば、燃料ノズル３２は、最適な燃焼、エミッション、燃料消費、及びパワー出力のための適した比で燃焼器３６に燃料−空気混合物を注入し得る。いくつかの実施形態では、ターボ機械１８は、環状配置構成で配設された複数の燃焼器３６を含み得る。各燃焼器３６は、高温燃焼ガスをタービン５４に向け得る。
【００２４】
示すように、タービン５４は、ケーシング７６によって囲まれた３つの別個の段６０、６２、及び６４を含む。各段６０、６２、及び６４は、シャフト７４に取付けられるそれぞれの回転ホイール６８、７０、及び７２に結合されたブレード又はバケット６６のセットを含む。高温燃焼ガスがタービンブレード６６の回転を引起すため、シャフト７４が回転して、圧縮機３４及び発電機等の任意の他の適した負荷を駆動する。最終的に、ターボ機械１８は、燃焼ガスを拡散させ、排気セクション８０を通して燃焼ガスを排出する。ノズル３２、取込み口３８、圧縮機３４、ベーン４６、ブレード４８、ホイール５０、シャフト５２、ディフューザ５６、段６０、６２、及び６４、シャフト７４、ケーシング７６、及び排気部８０等のタービンコンポーネントは、ＮＤＴ検査デバイス１２等の開示される実施形態を使用して、前記コンポーネントを検査し維持し得る。
【００２５】
更に又は代替的に、ＰＴＺカメラ１６は、ターボ機械１８の周り又はその内部の種々の場所に配設され、これらの場所の目視観察を得るために使用され得る。ＰＴＺカメラ１６は、所望の場所を照明するのに適した１つ又は複数の光源（ｌｉｇｈｔ）を更に含むことができ、また、到達するのが難しい種々のエリアの周りで観察結果を引出すのに有用な、図４に関して以下でより詳細に述べるズーム技法、パン技法、及びチルト技法を更に含むことができる。ボアスコープ１４及び／又はカメラ１６は、オイル及びガス設備２０等の設備２０を検査するために更に使用され得る。オイル及びガス機器８４等の種々の機器は、ボアスコープ１４及び／又はＰＴＺカメラ１６を使用することによって目視検査され得る。有利には、パイプ又はコンジット８６の内部等の場所、水面下の（又は流体下の）場所８８、及び、湾曲部又は屈曲部を有する場所等の観察が難しい場所９０は、ボアスコープ１４及び／又はＰＴＺカメラ１６を通してモバイルデバイス２２を使用することによって目視検査され得る。したがって、モバイルデバイスオペレータ２８は、より安全かつ効率的に、機器１８、８４及び場所８６、８８、及び９０を検査し、検査エリアから地理的に遠い場所と観察をリアルタイムに又はほぼリアルタイムに共有し得る。ファイバスコープ（例えば、関節連結ファイバスコープ、非関節連結ファイバスコープ）並びにロボットパイプ検査器及びロボットクローラを含む遠隔動作式車両（ＲＯＶ）等の他のＮＤＴ検査デバイス１２が、本明細書の実施形態で使用され得ることが理解される。
【００２６】
ここで図２を考えると、図は、目視検査データに対する代替の検査データを提供できる場合がある第２のカテゴリのＮＤＴ検査デバイス１２を示す分散型ＮＤＴシステム１０の或る実施形態のブロック図である。例えば、第２のカテゴリのＮＤＴ検査デバイス１２は、渦電流検査デバイス９２、超音波欠陥検出器９４等の超音波検査デバイス、及びデジタルｘ線撮影デバイス９６等のｘ線検査デバイスを含み得る。渦電流検査デバイス９２は、１つ又は複数のプロセッサ９３及びメモリ９５を含み得る。同様に、超音波欠陥検出器９４は、１つ又は複数のプロセッサ９７及びメモリ９９を含み得る。同様に、デジタルｘ線撮影デバイス９６は、１つ又は複数のプロセッサ１０１及びメモリ１０３を含み得る。動作時、渦電流検査デバイス９２は渦電流オペレータ９８によって動作させられ、超音波欠陥検出器９４は超音波デバイスオペレータ１００によって動作させられ、デジタルｘ線撮影デバイス９６はｘ線撮影オペレータ１０２によって動作させられ得る。
【００２７】
示すように、渦電流検査デバイス９２、超音波欠陥検出器９４、及びデジタルｘ線撮影検査デバイス９６は、図１に関して上述したコンジットを含むワイヤード又はワイヤレスコンジットを使用することによってモバイルデバイス２２に通信可能に結合され得る。更に又は代替的に、デバイス９２、９４、及び９６は、クラウド２４を使用することによってモバイルデバイス２２に結合され得る。例えば、ボアスコープ１４は、セルラー「ホットスポット」に接続され、ホットスポットを使用して、ボアスコープ検査及び分析における１人又は複数人のエキスパートに接続する。更に又は代替的に、ＮＤＴ検査デバイス１２は、例えば、セルネットワークを通した通信に適するセルラー技術を含み得る。したがって、モバイルデバイスオペレータ２８は、本明細書でより詳細に述べるように、モバイルデバイス２２を使用することによって、デバイス９２、９４、及び９６の動作の種々の態様を遠隔制御することができ、また、ボイス（例えば、ボイスオーバＩＰ[ＶＯＩＰ]）、データ共有（例えば、ホワイトボーディング）、データ分析の提供、エキスパート支援、及び同様なものを通してオペレータ９８、１００、及び１０２と協働し得る。
【００２８】
したがって、ｘ線観察モダリティ、超音波観察モダリティ、及び／又は渦電流観察モダリティによって、航空機システム１０４及び設備１０６等の種々の機器の目視観察を向上させることが可能である場合がある。例えば、パイプ１０８の内部及び壁は、コロージョン及び／又はエロージョンについて検査され得る。同様に、パイプ１０８の内部における閉塞又は望ましくない増殖は、デバイス９２、９４、及び／又は９６を使用することによって検出され得る。同様に、或る鉄又は非鉄材料１１２の内部に配設された亀裂又は割れが検出され得る。更に、コンポーネント１１６の内部に挿入された部品１１４の配置及び存続可能性が検証され得る。実際には、本明細書で述べる技法を使用することによって、機器及びコンポーネント１０４、１０８、１１２、及び１１６の改善された検査が提供され得る。例えば、モバイルデバイス２２が使用されて、デバイス１４、１６、９２、９４、及び９６にインタフェースし、それらのデバイスの遠隔制御を提供し得る。
【００２９】
図３は、モバイルデバイス２２及びクラウド２４に結合されたボアスコープ１４の正面図である。したがって、ボアスコープ１４は、クラウド２４に接続されるか又はクラウド２４の内部の任意の数のデバイスにデータを提供し得る。上述したように、モバイルデバイス２２が使用されて、ボアスコープ１４からデータを受信し得る、ボアスコープ１４を遠隔制御し得る、又は、その組合せを行い得る。実際には、本明細書で述べる技法は、例えば、種々のデータであって、限定はしないが、画像、ビデオ、並びに、温度測定値、圧力測定値、流量測定値、クリアランス測定値（例えば、固定コンポーネントと回転コンポーネントとの間の測定値）、及び距離測定値等のセンサ測定値を含む、種々のデータのボアスコープ１４からモバイルデバイス２２への通信を可能にする。同様に、モバイルデバイス２２は、以下でより詳細に述べるように、制御命令、再プログラミング命令、構成命令、及び同様なものを通信し得る。
【００３０】
示すように、ボアスコープ１４は、ターボ機械１８、機器８４、パイプ又はコンジット８６の内部、水面下の場所８８、湾曲部又は屈曲部９０、航空機システム１０４の内側又は外側の場所、パイプ１０８の内部等のような種々の場所に挿入するのに適した挿入管１１８を含む。挿入管１１８は、ヘッド端セクション１２０、関節連結セクション１２２、及びコンジットセクション１２４を含み得る。示す実施形態では、ヘッド端セクション１２０は、カメラ１２６、１つ又は複数の光源１２８（例えば、ＬＥＤ）、及びセンサ１３０を含み得る。上述したように、ボアスコープのカメラ１２６は、検査に適する画像及びビデオを提供し得る。光源１２８が使用されて、光が低いか又は光が全くない場所にヘッド端セクション１２０が配設されるときに照明を提供し得る。他の実施形態では、光ファイバが使用されて、光源からボアスコープ１４の先端１３６まで光を伝送し得る。光源は、アーク灯、ハンドセット内のＬＥＤ、プローブ先端１３６に送出されるプローブポッド内のＬＥＤ等を含み得る。
【００３１】
使用中、関節連結セクション１２２は、例えば、モバイルデバイス２２及び／又はボアスコープ１４上に配設された物理的ジョイスティック１３１によって制御され得る。関節連結セクション１２２は、種々の次元で操向又は「屈曲（ｂｅｎｄ）」し得る。例えば、関節連結セクション１２２は、示すＸＹＺ軸１３３のＸ−Ｙ平面、Ｘ−Ｚ平面、及び／又はＹ−Ｚ平面内でヘッド端セクション１２０の移動を可能にし得る。実際には、物理的ジョイスティック１３１及び／又はモバイルデバイス２２は共に、単独で又は組み合わせて使用されて、ヘッド端セクション１２０を、示す角度α等の種々の角度で配設するのに適する制御アクションを提供し得る。こうして、ボアスコープのヘッド端セクション１２０は、所望の場所を目視検査するように位置決めされ得る。カメラ１２６は、その後、例えばビデオ１３４を取り込むことができ、ビデオ１３４は、ボアスコープ１４のスクリーン１３５又はモバイルデバイス２２のスクリーン１３７で表示され、ボアスコープ１４及び／又はモバイルデバイス２２によって記録され得る。一実施形態では、スクリーン１３５及び１３７は、容量性技法、抵抗性技法、赤外線グリッド技法、及び同様なものを使用するマルチタッチスクリーンであり、スタイラス及び／又は１つ又は複数の人の指の接触を検出し得る。更に又は代替的に、画像及びビデオ１３４は、クラウド２４に送信され得る。
【００３２】
限定はしないが、センサ１３０データを含む他のデータは、ボアスコープ１４によって更に通信及び／又は記録され得る。センサ１３０データは、温度データ、距離データ、クリアランスデータ（例えば、回転コンポーネントと固定コンポーネントとの間の距離）、流量データ等を含み得る。いくつかの実施形態では、ボアスコープ１４は、複数の交換先端部１３６を含み得る。例えば、交換先端部１３６は、スネア、磁気先端部、グリッパ先端部、及び同様なもの等の回収先端部を含み得る。交換先端部１３６は、ワイヤブラシ、ワイヤカッタ、及び同様なもの等の清浄及び閉塞除去ツールを更に含み得る。先端部１３６は、焦点距離等のいろいろな光学特性、ステレオビュー、３次元（３Ｄ）位相ビュー、影ビュー等を有する先端部を更に含み得る。更に又は代替的に、ヘッド端セクション１２０は、取外し可能でかつ交換可能なヘッド端セクション１２０を含み得る。したがって、複数のヘッド端セクション１２０が、種々の直径で設けられ、挿入管１１８が、約１ミリメートルから１０ミリメートル以上の開口を有するいくつかの場所に配設され得る。実際には、いろいろな機器及び設備が検査され、データが、モバイルデバイス２２及び／又はクラウド２４を通して共有され得る。
【００３３】
図４は、モバイルデバイス２２及びクラウド２４に通信可能に結合された輸送可能なＰＴＺカメラ１６の或る実施形態の斜視図である。上述したように、モバイルデバイス２２及び／又はクラウド２４は、ＰＴＺカメラ１６を遠隔操作して、所望の機器及び場所を観察するようＰＴＺカメラ１６を位置決めし得る。示す例では、ＰＴＺカメラ１６は、Ｙ軸の周りでチルトされ回転され得る。例えば、ＰＴＺカメラ１６は、Ｙ軸の周りで約０°と１８０°との間、０°と２７０°との間、０°と３６０°との間、又はそれ以上の角度βに回転され得る。同様に、ＰＴＺカメラ１６は、例えば、Ｙ軸に関して約０°〜１００°、０°〜１２０°、０°〜１５０°、又はそれ以上の角度γでＹ−Ｘ平面の周りにチルトされ得る。光源１３８は、例えば、照明を起動又は停止し、照明のレベル（例えば、ルクス）を所望の値に増減するように同様に制御され得る。或る物体までの距離を測定するのに適したレーザ測距機等のセンサ１４０がまた、ＰＴＺカメラ１６上に搭載され得る。ロングレンジ温度センサ（例えば、赤外線温度センサ）、圧力センサ、流量センサ、クリアランスセンサ等を含む他のセンサ１４０が使用され得る。
【００３４】
ＰＴＺカメラ１６は、例えばシャフト１４２を使用することによって所望の場所に輸送され得る。シャフト１４２は、カメラオペレータ３０が、例えば、場所８６、１０８の内側に、水面下８８に、危険な（例えば、危険物（ｈａｚｍａｔ））場所等にカメラを移動し、カメラを位置決めすることを可能にする。更に、シャフト１４２が使用されて、シャフト１４２を永久的又は半永久的マウント上に搭載することによってＰＴＺカメラ１６をより永久的に固定し得る。こうして、ＰＴＺカメラ１６は、所望の場所に輸送及び／又は固定され得る。ＰＴＺカメラ１６は、その後、例えばワイヤレス技法を使用することによって、画像データ、ビデオデータ、センサ１４０データ、及び同様なものをモバイルデバイス２２及び／又はクラウド２４に送信し得る。したがって、ＰＴＺカメラ１６から受信されるデータは、遠隔で分析され、所望の機器及び設備についての動作の状態及び適切性を判定するために使用され得る。実際には、本明細書で述べる技法は、図５に関して以下でより詳細に述べるように、上述したデバイス１２、１４、１６、２２、９２、９４、９６及びクラウド２４を使用することによって、計画し、検査し、分析し、かつ／又は種々のデータを共有するのに適した包括的な検査及びメンテナンスプロセスを提供し得る。
【００３５】
図５は、上述したデバイス１２、１４、１６、２２、９２、９４、９６及びクラウド２４を使用することによって、計画し、検査し、分析し、かつ／又は種々のデータを共有するのに適したプロセス１５０のいくつかの実施形態のフローチャートである。実際には、本明細書で述べる技法は、デバイス１２、１４、１６、２２、９２、９４、９６を使用して、示すプロセス１５０等のプロセスが、種々の機器をより効率的に支援し維持することを可能にする。或る実施形態では、プロセス１５０又はプロセス１５０の複数の部分は、メモリ１７、２１、２５、９５、９９、１０３等のメモリに格納される非一時的コンピュータ可読媒体に含まれ、プロセッサ１５、１９、２３、９３、９７、１０１等の１つ又は複数のプロセッサによって実行可能であり得る。
【００３６】
一例では、プロセス１５０は、検査及びメンテナンス活動について計画し得る（ブロック１５２）。デバイス１２、１４、１６、２２、４２、４４、４６を使用することによって採取されるデータ、機器ユーザ（例えば、航空機１０４サービス会社）及び／又は機器製造業者からの、ターボ機械１８のフリートから採取されるフリートデータ（例えば、燃料組成データ、流量データ、温度データ、固定コンポーネントと回転コンポーネントとの間のクリアランスデータ、振動データ、速度データ、及びより一般的にセンサデータ）等の他のデータが使用されて、機械のためのメンテナンス及び検査活動、より効率的な検査スケジュールを計画し得る（ブロック１５２）、より詳細な検査のために或るエリアにフラグを立て得る、等を行い得る。プロセス１５０は、その後、所望の設備及び機器（例えば、ターボ機械１８）の単一モード検査又は複数モード検査（ブロック１５４）の使用を可能にし得る。上述したように、検査（ブロック１５４）は、ＮＤＴ検査デバイス１２（例えば、ボアスコープ１４、ＰＴＺカメラ１６、渦電流検査デバイス９２、超音波欠陥検出器９４、デジタルｘ線撮影デバイス９６）の任意の１つ又は複数を使用し、したがって、１つ又は複数の検査モード（例えば、目視、超音波、渦電流、ｘ線）を提供し得る。示される実施形態においては、モバイルデバイス１２が使用されて、とりわけ、ＮＤＴ検査デバイス１２を遠隔制御し得る、ＮＤＴ検査デバイス１２に通信されるデータを分析し得る、本明細書でより詳細に述べるようにＮＤＴ検査デバイス１２に含まれない更なる機能を提供し得る、ＮＤＴ検査デバイス１２からのデータを記録し得る、例えばメニュー駆動型又はメニュー指向型検査（ＭＤＩ：ｍｅｎｕ  ｄｒｉｖｅｎ  ｏｒ  ｍｅｎｕ  ｄｉｒｅｃｔｅｄ  ｉｎｓｐｅｃｔｉｏｎ）技法を使用することによって検査（ブロック１５４）を誘導し得る。
【００３７】
検査（ブロック１５４）の結果は、その後、例えば、ＮＤＴ検査デバイス１２を使用することによって、検査データをクラウド２４に送信することによって、モバイルデバイス２２を使用することによって、又はその組合せを行うことによって分析され得る（ブロック１５６）。分析は、設備及び／又は機器についての残留寿命、摩耗及び損耗、コロージョン、エロージョン等を確定するときに有用なエンジニアリング分析を含み得る。分析は、より効率的な部品交換スケジュール、メンテナンススケジュール、機器利用スケジュール、要員使用スケジュール、新たな検査スケジュール等を提供するために使用されるオペレーションズリサーチ（ＯＲ：ｏｐｅｒａｔｉｏｎｓ  ｒｅｓｅａｒｃｈ）分析を更に含み得る。分析（ブロック１５６）は、その後、報告され（ブロック１５８）、１つ又は複数の報告１５９であって、クラウド２４内で又はクラウド２４を使用することによって生成される報告を含む、１つ又は複数の報告１５９をもたらし、実施された検査及び分析並びに得られた結果を詳述し得る。報告１５９は、その後、例えば、クラウド２４、モバイルデバイス２２、及びワークフロー共有技法等の他の技法を使用することによって共有され得る（ブロック１６０）。一実施形態では、プロセス１５０は、反復的であり得る。したがって、プロセス１５０は、報告１５９の共有（ブロック１６０）後に計画（ブロック１５２）に戻って反復し得る。反復プロセス１５０として、分析（ブロック１５６）及び報告（ブロック１５８）は、計画（ブロック１５２）に知らせ得る。計画し、検査し、分析し、報告し、データを共有するための本明細書で述べるデバイス（例えば、１２、１４、１６、２２、９２、９４、９６）を使用するときに有用な実施形態を提供することによって、本明細書で述べる技法は、設備２０、１０６及び機器１８、１０４のより効率的な検査及びメンテナンスを可能にし得る。実際には、図６に関して以下でより詳細に述べるように、データの複数のカテゴリの転送が行われ得る。
【００３８】
図６は、ＮＤＴ検査デバイス１２（例えば、デバイス１４、１６、９２、９４、９６）に由来し、かつ、モバイルデバイス２２及び／又はクラウド２４に送信される種々のデータカテゴリの流れの実施形態を示すデータフロー図である。上述したように、ＮＤＴ検査デバイス１２は、ワイヤレスコンジット１６２を使用して、データを送信し得る。一実施形態では、ワイヤレスコンジット１６２は、ＷｉＦｉ（例えば、８０２．１１Ｘ）、セルラーコンジット（例えば、ＨＳＰＡ、ＨＳＰＡ＋、ＬＴＥ、ＷｉＭａｘ）、ＮＦＣ、ブルートゥース、ＰＡＮ、及び同様なものを含み得る。ワイヤレスコンジット１６２は、ＴＣＰ／ＩＰ、ＵＤＰ、ＳＣＴＰ、ソケットレイヤ等のような種々の通信プロトコルを使用し得る。いくつかの実施形態では、ワイヤレスコンジット１６２は、ＳＳＬ、ＶＰＮレイヤ、暗号化レイヤ、チャレンジキー認証レイヤ、トークン認証レイヤ等のようなセキュアレイヤを含み得る。したがって、認証データ１６４が使用されて、モバイルデバイス２２及び／又はクラウド２４に対してＮＤＴ検査デバイス１２を対化するか又はそうでなければ認証するのに適した任意の数の認証又はログイン情報を提供し得る。更に、ワイヤレスコンジット１６２は、例えば、現在利用可能な帯域幅及びレーテンシに応じて、データを動的に圧縮し得る。モバイルデバイス２２は、その後、データを圧縮解除し表示し得る。圧縮／復号技法は、Ｈ．２６１、Ｈ．２６３、Ｈ．２６４、ムービングピクチャエキスパートグループ（ＭＰＥＧ：ｍｏｖｉｎｇ  ｐｉｃｔｕｒｅ  ｅｘｐｅｒｔｓ  ｇｒｏｕｐ）、ＭＰＥＧ−１、ＭＰＥＧ−２、ＭＰＥＧ−３、ＭＰＥＧ−４、ＤｉｖＸ等を含み得る。
【００３９】
或るモダリティ（例えば、目視モダリティ）では、画像及びビデオが、ＮＤＴ検査デバイス１２の一部又は全てを使用することによって通信され得る。他のモダリティはまた、それらのそれぞれのスクリーンに関連するか又はそれに含まれるビデオ、センサデータ等を送出し得る。ＮＤＴ検査デバイス１２は、画像を取り込むことに加えて、画像上に或るデータをオーバレイし、情報価値がより高いビューをもたらし得る。例えば、ボアスコープ先端部マップが、ビデオ上にオーバレイされ、挿入中にボアスコープ先端部の配置の近似を示して、ボアスコープカメラ１２６をより正確に位置決めするようオペレータ２６を誘導し得る。オーバレイ先端部マップは、４つの象限を有するグリッドを含み、先端部１３６配置は、４つの象限の内部の任意の部分又は位置でドットとして表示され得る。以下でより詳細に述べるように、測定値オーバレイ、メニューオーバレイ、アノテーションオーバレイ、及び物体識別オーバレイを含む種々のオーバレイが提供され得る。ビデオ８４等の画像及びビデオデータは、その後、画像及びビデオデータの上部に一般に表示されるオーバレイと共に表示され得る。
【００４０】
一実施形態では、オーバレイ、画像、ビデオデータは、スクリーン１３５から「スクリーンスクレイプされ（ｓｃｒｅｅｎ  ｓｃｒａｐｅｄ）」、スクリーンスクレイピングデータ１６６として通信され得る。スクリーンスクレイピングデータ１６６は、その後、モバイルデバイス２２及びクラウド２４に通信可能に結合される他のディスプレイデバイス上に表示され得る。有利には、スクリーンスクレイピングデータ１６６は、より容易に表示され得る。実際には、ピクセルが同じフレーム内に画像又はビデオとオーバレイの両方を含み得るため、モバイルデバイス２２は、上述したピクセルを表示するだけであり得る。しかし、スクリーンスクレイピングデータを提供することは、画像とオーバレイを併合することができ、また、２つの（又は３つ以上の）データストリームを分離することは有益であり得る。例えば、別個のデータストリーム（例えば、画像又はビデオストリーム、オーバレイストリーム）はほぼ同時に送信され、したがって、より高速のデータ通信を提供し得る。更に、データストリームは、別々に分析され、したがって、データ検査及び分析を改善し得る。
【００４１】
したがって、一実施形態では、画像データ及びオーバレイは、２つ以上のデータストリーム１６８及び１７０に分離され得る。データストリーム１６８はオーバレイだけを含み、一方、データストリーム１７０は画像又はビデオを含み得る。一実施形態では、画像又はビデオ１７０は、同期化信号１７２を使用することによってオーバレイ１６８と同期化され得る。例えば、同期化信号は、データストリーム１７０のフレームを、オーバレイストリーム１６８に含まれる１つ又は複数のデータアイテムと照合するのに適したタイミングデータを含み得る。更に別の実施形態では、同期化信号１７２が全く使用されない場合がある。代わりに、各フレーム又は画像１７０は、一意のＩＤを含み、この一意のＩＤが、オーバレイデータ１６８の１つ又は複数と照合され、オーバレイデータ１６８及び画像データ１７０を一緒に表示するために使用され得る。
【００４２】
オーバレイデータ１６８は、先端部マップオーバレイを含み得る。例えば、４つの正方形を有するグリッド（例えば、象限グリッド）が、先端部１３６位置を示すドット又は円と共に表示され得る。そのため、この先端部マップは、先端部１３６が物体の内部にどのように挿入されるかを示し得る。第１象限（右上）は、先端部１３６が物体を軸方向に見下ろしながら右上角に挿入されることを示すことができ、第２象限（左上）は、先端部１３６が軸方向に見下ろしながら左上角に挿入されることを示すことができ、第３象限（左下）は先端部１３６が左下角に挿入されることを示すことができ、第４象限（右下）は先端部１３６が右下角に挿入されることを示すことができる。したがって、ボアスコープオペレータ２６は、先端部１３６の挿入をより容易に誘導することができる。一実施形態では、先端部マップはｘ／ｙサーボ位置を使用して先端部１３６位置を示し得る。例えば、プローブが平坦表面上に置かれた場合、物理的ジョイスティック上の「上（ｕｐ）」を押すことは、プローブヘッドが上方に移動することをもたらすと共に、プローブが上位置になったことを先端部マップが示すことになる。これは、全て相対的である。その理由は、アセット（例えば、ガスタービン）の内部にある間、プローブ自体が、回転することになり、先端部マップが、これを理解しない場合があるためである。
【００４３】
オーバレイデータ１６８はまた、測定値オーバレイを含み得る。例えば、長さ、点から線（ｐｏｉｎｔ  ｔｏ  ｌｉｎｅ）、深さ、面積、多セグメント線、距離、スキュー、及び円形ゲージ等の測定値は、ユーザが、画像の上部に１つ又は複数のカーソル十字（例えば、「＋」）をオーバレイすることを可能にすることによって提供され得る。一実施形態では、３Ｄ位相測定、ステレオ測定を含む物体の内部の測定に適する、及び／又は、物体上に影を投影することによる、ステレオプローブ測定先端部１３６又は影プローブ測定先端部１３６が設けられ得る。画像上に複数のカーソルアイコン（例えば、カーソル十字）を設置することによって、測定値が、ステレオ技法を使用して導出され得る。例えば、２つのカーソルアイコンを設置することは、直線的点間測定値（例えば長さ）を提供し得る。３つのカーソルアイコンを設置することは、点から線への垂直距離（例えば、点から線）を提供し得る。４つのカーソルアイコンを設置することは、（３つのカーソルによって導出される）表面と点（第４のカーソル）との間の、表面の上又はその下の垂直距離（例えば、深さ）を提供し得る。フィーチャ又は欠陥の周りに３つ以上のカーソルを設置することは、カーソルの内部に含まれる表面の近似面積を与え得る。３つ以上のカーソルを設置することはまた、各カーソルに追従する多セグメント線の長さを使用可能にし得る。
【００４４】
同様に、影を投影することによって、測定値が、照明及び結果得られる影に基づいて導出され得る。したがって、測定エリアにわたって影を配置（ｐｏｓｉｔｉｏｎ）し、次に、所望の測定エリアの最も遠い点で、影にできる限り接近して２つのカーソルを設置することは、点間の距離の導出をもたらし得る。測定エリアにわたって影を設置し、次に、所望の測定エリアのエッジ（例えば、被照明エッジ）で、水平影のほぼ中心にカーソルを設置することは、スキュー測定値をもたらし得る。そのスキュー測定値は、プローブ１４ビューに垂直でない表面上での直線的（点間）測定値として普通なら定義される。これは、垂直影が得られないときに有用であり得る。
【００４５】
同様に、測定エリアにわたって影を配置し、次に、１つのカーソルを隆起表面上に、第２のカーソルを陥凹表面上に設置することは、表面と点との間の、その表面の上又は下の深さ又は距離の導出をもたらし得る。測定エリアの近くに影を配置し、次に、影に接近しかつ欠陥を覆って円（例えば、円ゲージとも呼ばれる、ユーザ選択可能な直径の円サークル）を設置することは、その結果の近似的な直径、円周、及び／又は面積を導出し得る。３Ｄ位相測定は、３Ｄ表面スキャンを提供するため、単一プローブ先端部１３６を使用することによって得られ、先端部変更は使用されない場合がある。実際には、３Ｄ位相測定は、測定値を取り込むためにプローブ先端部を変更する必要性をなくすことによって、より正確な測定を「オンデマンドで（ｏｎ−ｄｅｍａｎｄ）」提供し、検査プロセスを効率化し得る。
【００４６】
オーバレイデータ１６８はまた、アノテーションデータを含み得る。例えば、テキスト及びグラフィクス（例えば、矢印ポインタ、十字、幾何学的形状）が画像の上部にオーバレイされて、「表面割れ（ｓｕｒｆａｃｅ  ｃｒａｃｋ）」等の或るフィーチャをアノテートし得る。更に、オーディオがＮＤＴ検査デバイス１２によって取込まれ、オーディオオーバレイとして提供され得る。例えば、ボイスアノテーション、検査を受ける機器の音、等は、オーディオとして画像又はビデオ上にオーバレイされ得る。その後、モバイルデバイス２２及び／又はクラウド２４によって受信されるオーバレイデータ１６８は、種々の技法によってレンダリングされ得る。例えば、ＨＴＭＬ５又は他のマークアップ言語が使用されて、オーバレイデータ１６８を表示し得る。一実施形態では、モバイルデバイス２２及び／又はクラウド２４は、ＮＤＴ検査デバイス１２によって提供される第２のユーザインタフェースと異なる第１のユーザインタフェースを提供し得る。したがって、オーバレイデータ１６８は、簡略化され、基本情報を送出するだけであり得る。例えば、先端部マップの場合、オーバレイデータ１６８は、先端部の場所に相関性があるＸ及びＹデータを単に含み、第１のユーザインタフェースは、その後、Ｘ及びＹデータを使用して、グリッド上に先端部を視覚的に表示し得る。
【００４７】
更に、センサデータ１７４が通信され得る。例えば、センサ１２６、１４０からのデータ、ｘ線センサデータ、渦電流センサデータ、及び同様なものが通信され得る。いくつかの実施形態では、センサデータ１７４は、オーバレイデータ１６８と同期化され得る。例えば、オーバレイ先端部マップは、温度情報、圧力情報、流量情報、クリアランス等と一緒に表示され得る。同様に、センサデータ１７４は、画像又はビデオデータ１７０と一緒に表示され得る。
【００４８】
いくつかの実施形態では、力フィードバック又は触覚フィードバックデータ１７６が通信され得る。力フィードバックデータ１７６は、例えば、構造に当接又は接触するボアスコープ１４の先端部１３６に関連するデータ、先端部１３６又は振動センサ１２６によって感じられる振動、流れに関連する力、温度、クリアランス、圧力、及び同様なものを含み得る。モバイルデバイス２２は、例えば、流体充填されたマイクロチャネルを有する触知可能層を含むことができ、触知可能層は、力フィードバックデータ１７６に基づいて、応答して流体圧力を変更し得る、かつ／又は、流体を方向転換させ得る。実際には、本明細書で述べる技法は、センサデータ１７４及びコンジット１６２内の他のデータを示すのに適したモバイルデバイス２２によって作動される応答を触知可能な力として提供し得る。
【００４９】
ＮＤＴ検査デバイス１２は、位置データ１７８を更に通信し得る。例えば、位置データ１７８は、機器１８、１０４及び／又は設備２０、１０６に対するＮＤＴ検査デバイス１２の場所を含み得る。例えば、室内ＧＰＳ、ＲＦＩＤ、三角測量（例えば、ＷｉＦｉ三角測量、無線三角測量）等の技法が使用されて、デバイス１２の位置１７８を確定し得る。物体データ１８０は、検査下の物体に関連するデータを含み得る。例えば、物体データ１８０は、識別情報（例えば、シリアル番号）、機器状態に関する観察、アノテーション（テキストアノテーション、ボイスアノテーション）等を含み得る。限定はしないが、メニュー駆動型検査データ又はメニュー指向型検査データを含む他のタイプのデータ１８２が使用されることができ、他のタイプのデータ１８２は、使用されると、テキストアノテーション及びメタデータとして適用される可能性がある、予め定義された「タグ（ｔａｇ）」のセットを提供する。これらのタグは、検査を受ける物体に関連する場所情報（例えば、第１段ＨＰ圧縮器）又は兆候（例えば、異質物体損傷）を含み得る。他のデータ１８２は、リモートファイルシステムデータを更に含むことができ、リモートファイルシステムデータ内で、モバイルデバイス２２は、ＮＤＴ検査デバイス１２のメモリ２５内に、或は、セキュアデジタル（ＳＤ）カード、サムドライブ、ＵＳＢハードドライブ、及び同様なもの等の、ＮＤＴ検査デバイス１２に結合されるか又はＮＤＴ検査デバイス１２の内部に配設された媒体内に位置するデータのファイル及びファイル構造体（例えば、ホルダ、サブホルダ）を閲覧し操作し得る。したがって、ファイルは、モバイルデバイス２２及びクラウド２４に転送され、編集され、メモリ２５に戻るように転送され得る。データ１６４〜１８２をモバイルデバイス２２及びクラウド２４に通信することによって、本明細書で述べる技法は、より高速でかつより効率的なプロセス１５０を可能にし得る。データ１６４〜１８２をモバイルデバイス２２及びクラウド２４に通信することによって、本明細書で述べる技法は、より高速でかつより効率的なプロセス１５０を可能にし得る。実際には、複数のカテゴリのデータの転送は、図７〜１０に関して以下でより詳細に述べるように行われ得る。
【００５０】
ここで図７を考えると、図は、モバイルデバイス２２、クラウド２４の内部のデバイス、及び／又は、クラウド２４に通信可能に接続されるデバイス（例えば、コンピューティングシステム２９）に由来し、ＮＤＴ検査デバイス１２（例えば、ボアスコープ１４、ＰＴＺカメラ１６、渦電流検査デバイス９２、超音波欠陥検出器９４、デジタルｘ線撮影デバイス９６）の方に向けられる種々のデータカテゴリの流れの実施形態を示すデータフローチャートである。こうしたデータは、ＮＤＴ検査デバイスを制御するのに適した制御データを含み得る。本明細書で述べるように、ＮＤＴ検査デバイス１２の制御は、以下でより詳細に述べるように、ボアスコープ１４の関節連結セクション１２２等の位置決め装置、ＰＴＺカメラ１６をパン、チルト、及びズームさせるために使用される装置の制御と、ＮＤＴ検査デバイス１２内のファイルシステム、ＮＤＴ検査デバイス１２内に含まれるスクリーン（複数可）の遠隔制御と共に、ＮＤＴ検査デバイス１２を動作させるか又は構成するために使用されるパラメータの設定を含む。
【００５１】
示す実施形態では、ワイヤレスコンジット２００が使用されて、データ（例えば、制御データ）をＮＤＴ検査デバイス１２に通信し得る。コンジット１６２と同様に、ワイヤレスコンジットは、或る実施形態では、ＷｉＦｉ（例えば、８０２．１１Ｘ）、セルラーコンジット（例えば、ＨＳＰＡ、ＨＳＰＡ＋、ＬＴＥ、ＷｉＭａｘ）、ＮＦＣ、ブルートゥース、ＰＡＮ、及び同様なものを含み得る。ワイヤレスコンジット１６２は、ＴＣＰ／ＩＰ、ＵＤＰ、ＳＣＴＰ、ソケットレイヤ等のような種々の通信プロトコルを使用し得る。或る実施形態では、ワイヤレスコンジット１６２は、ＳＳＬ、ＶＰＮレイヤ、暗号化レイヤ、チャレンジキー認証レイヤ、トークン認証レイヤ等のようなセキュアレイヤを含み得る。他の実施形態では、ワイヤードコンジットが、ワイヤレスコンジット１６２、２００の代替として又はその代わりに使用され得ることが留意される。
【００５２】
認可データ２０２は、通信され、例えば、認可データ１６４と共に使用されて、ＮＤＴ検査デバイス１２に対するセキュアアクセスを可能にする。種々のセキュア認証技法が使用されることができ、セキュア認証技法は、ログイン／パスワードの組合せ、セキュアＭＡＣアドレスのリストを維持すること、デバイス１２、２２及びクラウド２４の２つ以上の間のチャレンジ応答認証、サードパーティ認証サーバを使用するセキュアＮＦＣ認証（例えば、証明書認証、キー交換認証を使用することによる）等を含むが、それに限定されない。
【００５３】
位置制御データ２０４が、更に通信されることができ、ＮＤＴ検査デバイス１２のコンポーネントを移動させるか又はその他の方法で位置決めするのに有用である。実際には、ＮＤＴ検査デバイス１２の或るコンポーネントは、例えば仮想ジョイスティックを使用することによって、物理的に遠隔で移動され得る。ローカルに（ＷｉＦｉ、ブルートゥース）及び／又はクラウド２４を介してＮＤＴ検査デバイス１２に接続されるデバイス等の、任意の数のシステム（例えば、モバイルデバイス２２、コンピューティングシステム２９、ウェブベース仮想コントローラ）は、データ２０４を遠隔通信するために使用され、また、ＮＤＴ検査デバイス１２のコンポーネントを遠隔で位置決めするために使用され得る。
【００５４】
有利には、種々の遠隔のオペレーション、訓練、及び協働が使用可能にされ得る。例えば、エキスパートオペレータは、仕事に関して新しいボアスコープオペレータを訓練し得る。新しいボアスコープオペレータは、ボアスコープ１４を保持し、エキスパートオペレータがモバイルデバイス２２を使用することによってボアスコープ１４を制御している間に観測し得る。エキスパートオペレータは、その後、先端部制御技法を示し得る、どんなタイプの観測結果がコロージョンに対して相関性があるかを述べ得る、アノテーションをどのように作るかを示し得る、等を行い得る。他の場合には、エキスパートオペレータは、異なる地理的場所に位置し、ＶＯＩＰ、ホワイトボーディング、及び同様なものを使用して新しいボアスコープオペレータと協働するか又は訓練し得る、或は、モバイルデバイス２２を使用して、全検査を遠隔で実施し得る。別の訓練の例では、新しいボアスコープオペレータは、モバイルデバイス２２及び／又はボアスコープ１４を使用し、ウェブベース場所等の遠隔場所から訓練を受信し得る。例えば、モバイルデバイス２２のスクリーン１３７は、複数の閲覧エリア（例えば「スプリットスクリーン（ｓｐｌｉｔｓｃｒｅｅｎ）」）に分割され得るため、１つの閲覧エリアはボアスコープ１４画像又はビデオを示し、一方、第２の閲覧エリアは訓練ビデオを示し、第３のエリアは、ワイヤレスで入手されるオンライン機器マニュアルを示す。実際には、ボアスコープ１４は、外部ソース（例えば、モバイルデバイス２２、クラウド２４、コンピューティングシステム２９）からの、的を絞ったマルチメディア検査データを含むデータを受信し得る。
【００５５】
更に、精密制御データ２０６が通信され得る。例えば、位置制御データ２０４より小さな増分でボアスコープの関節連結セクション１２２及び／又はＰＴＺカメラ１６を移動させるのに適した「ジョギング（ｊｏｇｇｉｎｇ）」データ。より具体的には、精密制御データ２０６は、移動ステップ（例えば、０．５ｍｍ、０．０５ｍｍと１ｃｍ以上との間）及び移動ステップの回数（例えば、１、２、３、４、５、又はそれより多い数）を含み得る。したがって、ＮＤＴ検査デバイス１２のコンポーネントは、より精密に配設されて、検査を受ける或るフィーチャ（ｆｅａｔｕｒｅ）をよりよく観測し得る。位置制御データ２０４及び精密制御データ２０６は、ＮＤＴ検査デバイス１２に通信可能に接続される仮想コントローラ又は物理的コントローラによって生成され得る。
【００５６】
画像、ビデオ、テキスト、及び／又はオーディオデータ２０８が更に通信され得る。例えば、モバイルデバイス２２、クラウド２４、及び／又はクラウドに結合されたデバイス（例えば、コンピューティングシステム２９）は、検査をどのように進めるかについての説明を詳述するオーディオと共に、画像及び／又はビデオを送出すると共に、更に検査すべき或るフィーチャをボアスコープオペレータに示すときに有用なアノテーションをオーバレイし得る。或る実施形態では、データ２０８は、検査手順を詳述するときに有用な訓練データであり得る。他の実施形態では、データ２０８は、或る機器をより徹底的にどのように検査するかに関する命令を詳述する、エキスパートから送信されるデータを含み得る。更に別の実施形態では、データ２０８は、受信データを自動的に分析した後に、検査を指示するかつ／又は検査に的を絞るときに有用な、図６からの受信データに基づく、自動化エンティティ（例えば、エキスパートシステム、ファジーロジックシステム、ニューラルネットワークシステム、状態ベクトルマシン）を通して送出されるデータを含み得る。
【００５７】
構成データ２１０もまた通信され得る。例えば、ＮＤＴ検査デバイス１２に含まれるファイルシステムを更新する、ＮＤＴ検査デバイス１２を再プログラムする、ＮＤＴ検査デバイス１２を動作させるときに有用なパラメータを設定する、かつ／又は、デバイス１２の電子コンポーネントを再構成する（例えば、フラッシュアップグレードする（ｆｌａｓｈ  ｕｐｇｒａｄｅ））ために使用されるデータは、ＮＤＴ検査デバイス１２に遠隔で送出され得る。実際には、プログラミング及びパラメータ設定は、遠隔で行われ、したがって、技法が、ＮＤＴ検査デバイスをより容易に最新に維持し、デバイス動作を改善することを可能にし得る。異なるＮＤＴ検査デバイス１２が異なるパラメータセットを使用し得ることが理解される。単に非制限的な例として、例えばＮＤＴ検査デバイス１２の動作中に使用され、ＮＤＴ検査デバイス１２を遠隔制御するのに有用な一部のパラメータは、データの採取を開始する、データの採取を停止する、ファイルを保存する、ファイルに名前を付けるか又は名前を付け直す、ゲインを調整する、タイムベースを調整する、リフトオフを補償する−渦電流検査中に信号をゼロにする、位相回転を調整する、パーシステンスを調整する、プローブを平衡化する、ゲートを調整する（例えば、振幅調整、位置調整）、カラーパレット−ソフトゲインを調整する、信号整流を変更する、パルサフィルタを変更する、ズームイン及びズームアウトする、パルス幅を調整する、データフィルタ（例えば、帯域）を調整する、パルス繰返し周波数を調整する、スイープ角度開始／停止を調整する、スイープ角度増分を調整する、チャネルをターンオン／オフする、データをフリーズする、データをクリア／イレーズする、スパンを調整する、フィルタを調整する、スポット位置を変更する、ディスプレイタイプ（例えば、スポットディスプレイ、タイムベースディスプレイ、ウォータフォールディスプレイ）を変更する、及び／又はチャネルビューを変更するためのパラメータを含みを得る。
【００５８】
一実施形態では、とりわけ、仮想ネットワークコンピューティング（ＶＮＣ：ｖｉｒｔｕａｌ  ｎｅｔｗｏｒｋ  ｃｏｍｐｕｔｉｎｇ）、リモートデスクトッププロトコル（ＲＤＰ：ｒｅｍｏｔｅ  ｄｅｓｋｔｏｐ  ｐｒｏｔｏｃｏｌ）、デスクトップ共有等のクライアント−サーバ技法が使用されて、構成データ２１０を送出し、ＮＤＴ検査デバイス１２のスクリーン制御に相関性があるデータを受信し得る。同様に、リモートファイルシステム制御は、セキュアファイル転送プロトコル（ｆｔｐ：ｓｅｃｕｒｅ  ｆｉｌｅ  ｔｒａｎｓｆｅｒ  ｐｒｏｔｏｃｏｌ）、ｆｔｐオーバセキュアシェル（ＳＳＨ）、リモートファイル共有（ＲＦＳ：ｒｅｍｏｔｅ  ｆｉｌｅ  ｓｈａｒｉｎｇ）、及び／又は分散ファイルシステム（例えば、ＮＤＴ検査デバイス１２を通してファイルを格納し取出すためにクラウド２４を使用する）等の技法を使用することによって提供され得る。ファイルは、追加され得る、名前を付け直され得る、削除され得る、かつ／又は更新され得る。同様に、ファイルホルダ及び他のファイルストレージ構造は、同様に、名前を付け直され得る、削除され得る、かつ／又は更新され得る。
【００５９】
力フィードバックデータ２１２が、更に、通信され得る。例えば、モバイルデバイス２２のタッチスクリーン上でのより力強い押しは、ボアスコープの関節連結セクション１２をより迅速に移動させるときに有用なデータ２１２になり得る。触覚コントローラは、コンピューティングデバイス２９に結合され、力フィードバックデータを提供し得る。大きな力が印加されればされるほど、ボアスコープ１４の関節連結セクション１２２等のコンポーネントの相関性がある移動が速くなる。力フィードバックデータ２１２が、クラウド２４又はモバイルデバイス２２（例えば、モバイルデバイス２２がＷＡＰ機能を提供するとき）を通して結合されたコントローラを含むＮＤＴ検査デバイス１２にワイヤレスで結合された、物理的ジョイスティック１３１、仮想ジョイスティック、触覚コントローラ等の他のデバイスによって提供され得ることが留意される。他のデータ２１４は、ＮＤＴ検査デバイス１２を動作させるときに有用なデジタルマニュアル又はヘルプマニュアル、検査を受ける機器（例えば、ターボ機械１８、航空機１０４）に関連するマニュアル等を含み得る。したがって、ワイヤレスコンジット２００が使用されて、限定はしないが、測定情報（カーソル位置、測定値、ステレオマッチング）、ＭＤＩ情報（目下のステージ、アセット情報、基準材料）、目下のメニュー選択、先端部温度／圧力、先端部配向（先端部マップ、アーティフィシャルホライゾン）、３次元位相測定（３ＤＰＭ：３−ｄｉｍｅｎｓｉｏｎａｌ  ｐｈａｓｅ  ｍｅａｓｕｒｅｍｅｎｔ）範囲指示、テキストアノテーション等を含むボアスコープ特有の情報等のＮＤＴ検査デバイス１２情報を通信し、変更する又は別途修正することになる。ソフトウェア制御アプリケーションは、以下でより詳細に述べるように、タッチスクリーンボタン又はソフトキーラベルを有するネイティブグラフィクスをレンダリングし、また、適切である場合、ユーザ入力を受付ける。固定機能又は動的機能を有するハードの物理的ボタンもまた、入力を受付けるために使用される可能性がある。ＮＤＴ検査デバイス１２が第２のエンティティによって使用されるのと同時に、ＮＤＴ検査デバイス１２が第１のエンティティ（又は２つ以上のリモートエンティティ）によって制御され得ることが留意される。実際には、本明細書に述べる制御の実施形態は、複数のリモートパーティを含む複数のパーティがデバイスを同時に制御することを可能にする。図８は、例えば、ＮＤＴ検査デバイス１２、モバイルデバイス２２、コンピューティングシステム２９、アセット所有者３０２、検査ソリューションプロバイダ／機器製造業者３０４、規制エンティティ３０６、他のエンティティ３０８、アセット相手先ブランドによる製造業者（ＯＥＭ：ｏｒｉｇｉｎａｌ  ｅｑｕｉｐｍｅｍｔ  ｍａｎｕｆａｃｔｕｒｅｒ）３１０、アセット検査プロバイダ３１２、及び／又はアプリケーション開発業者３１４との間での協働環境を提供するときに有用なＮＤＴエコシステム３００の一実施形態を示す。ＮＤＴエコシステム３００又はＮＤＴエコシステム３００の所定の部分は、メモリ３１６に格納され、プロセッサ３１８によって実行される実行可能コンピュータ命令によって実���され得る。メモリ３１６及びプロセッサ３１８は、クラウド２４の内部にあるか又はクラウド２４に接続されたシステムであって、限定はしないが、コンピューティングサーバ、仮想マシン、負荷平衡化コンピューティングデバイス、及び同様なものを含む、システムに含まれ得る。
【００６０】
示す実施形態では、アセット所有者３０２は、ターボ機械１８、航空機１０４、及び／又は施設２０、１０６等の機器及び施設アセットの所有者又は賃借人を含み得る。検査ソリューションプロバイダ３０４は、検査１５４を含むプロセス１５０又はプロセス１５０のコンポーネントを実施するときに有用なソフトウェア及びハードウェアを開発する（例えば、ＮＤＴ検査デバイス１２等の機器を製造する）会社又はエンティティを含み得る。規制エンティティ３０６は、プロセス１５０の全て又は所定の部分を規制する州及び連邦政府機関を含み得る。他のエンティティ３０８は、接続サービス（例えば、ワイヤード及び／又はワイヤレス接続）、バックエンドコンピューティングサービス（例えば、クラウドベースコンピュータ処理サービス、グリッドコンピューティングサービス、クラスタコンピューティングサービス、スーパーコンピューティングサービス、及び／又はクラウドベース格納サービス）を提供するエンティティ等のクラウドコンピューティングサービス２４を提供するエンティティを含み得る。アセットＯＥＭ３１０は、上述した機器及び施設アセットの製造業者を含む。アセット検査プロバイダ３１２は、例えば、検査１５４で使用される要員及び機器を提供するエンティティを含む。
【００６１】
アプリケーション開発者３１４は、コンピュータ実行可能コンテンツ３２２（例えば、モバイルアプリケーション、ウェブアプリケーション、デスクトップアプリケーション、デバイスドライバ、ファームウェア、コンフィギュレーションファイル、及びコンフィギュレーション関連ファイル）及び／又は非実行コンテンツ３２４（例えば、機器マニュアル、検査手順、訓練手順、規制文書、規定手順、オーディオ、ビデオ、テキスト、マルチメディア、インタラクティブコンピュータシミュレーション等）を含むデジタルコンテンツ３２０を書込み得る上述したエンティティ３０２、３０４、３０６、３０８、３１０、３１２を含むがそれに限定されない任意のエンティティを含む。デジタルコンテンツは、ＮＤＴエコシステム３００に含まれるレポジトリ（例えば、データベース）に格納され、デバイス１２、２２、及び／又は２９によって使用され、実行され、及び／又は表示され得る。更に又は代替的に、デジタルコンテンツ３２０は、クラウド２４（又はクラウド２４に結合されたシステム）内に存在し、ＮＤＴ検査デバイス１２は、クラウド２４内（又はクラウド２４に結合されたシステム内の）デジタルコンテンツ３２０を使用し得る。すなわち、デジタルコンテンツ３２０は、クラウド２４内に存在し、ＮＤＴ検査デバイス１２は、クラウド２４を使用することによって、コンテンツ３２０に接続し、コンテンツ３２０を実行し、表示し、又はその他の方法で使用し得る。アプリケーションは、ＮＤＴ検査デバイス１２、モバイルデバイス２２、コンピューティングシステム２９によって実行可能なアプリケーション、クラウド２４内で実行可能なアプリケーション、又はその組合せを含み得る。同様に、非実行コンテンツ３２４は、ＮＤＴ検査デバイス１２、モバイルデバイス２２、及びコンピューティングシステム２９を使用することによって閲覧可能であり得る。したがって、ＮＤＴエコシステム３００を使用することによる協働は、ＮＤＴデジタルコンテンツ３２０についての或る考えの始まり（ｉｎｃｅｐｔｉｏｎ  ｏｆ  ａｎ  ｉｄｅａ）、並びに、ＮＤＴデジタルコンテンツ３２０の作成、配信、購入、管理、及び収益共有を含み得る。
【００６２】
例えば、検査ソリューションプロバイダ３０４は、デジタルコンテンツ３２０（例えば、アプリケーション）及びデジタルコンテンツ３２０を支援するハードウェアソリューションを作成し得る。アプリケーション（及び他のデジタルコンテンツ３２０）は、以下でより詳細に述べるデジタルコンテンツビルダ３２５を使用することによって作成され試験され得る。これらのアプリケーションは、その後、ＮＤＴ検査デバイス１２、モバイルデバイス２２、及び／又はコンピューティングシステム２９上で実行されて、計画１５２、検査１５４、分析１５６、報告１５８、及び／又は共有（ｓｈａｒｉｎｇ）１６０を含むプロセス１５０を支援し得る。アプリケーションを含むデジタルコンテンツ３２０が、エンティティ３０２、３０４、３０６、３０８、３１０、３１２、及び３１４の任意のエンティティによって、サードパーティ等によって構築され、例えばデジタルコンテンツストア３２６を使用することによって配信され得ることが留意される。デジタルコンテンツストア３２６は、パブリックストア３２８、プライベートストア３３０、及び他のストア３３２を含み得る。パブリックストア３２８は、全てのエンティティ３０２、３０４、３０６、３０８、３１０、３１２、及び３１４によってアクセス可能なストアを含むことができ、一方、プライベートストア３３０は、エンティティ３０２、３０４、３０６、３０８、３１０、３１２、及び３１４のそれぞれのエンティティの部分集合、エンティティ３０２、３０４、３０６、３０８、３１０、３１２、及び３１４の全てのエンティティの部分集合に対してのみアクセス可能であるストア（例えば、ストアクリエータによって精査されるエンティティ又は他のエンティティ）を含むことができる。他のストア３３２は、或るアイテムが大衆に売られ、一方、他のアイテムが精査済みの顧客にだけ売られるハイブリッドストア（例えば、セミプライベートストア）を含み得る。例えば、全てのパブリックコンテンツが売られる場合があり、また、或るエンティティがそれに対するアクセスを認可（ｇｒａｎｔ）される一定のプライベートコンテンツもまた売られる場合がある。他のストア３３２は、更に又は代替的に、輸出規制アイテム等の政府制限アイテムを売買するための政府許可を受けたエンティティを対象とするストアを含み得る。種々の専門的知識を有するエンティティによる種々のデジタルコンテンツの作成及び配信を実現することによって、ＮＤＴエコシステム３００は、強化された協働及びより効率的なプロセス１５０を実現し得る。
【００６３】
引き続き図８に関して、デジタルコンテンツ３２０は、アプリケーションプログラミングインタフェース（ＡＰＩ：ａｐｐｌｉｃａｔｉｏｎ  ｐｒｏｇｒａｍｍｉｎｇ  ｉｎｔｅｒｆａｃｅ）、データ分析サービスに対するインタフェース、ハードウェアインタフェース（例えば、ＮＤＴ検査デバイス１２のハードウェアに対するソフトウェアインタフェース）、及び同様なもの等の一定のプラットフォーム能力を更に含み得る。同様のプラットフォーム能力は、代替的に又は更に、他のシステム３６によって提供され、データストレージ及びデータ分析サービス等のサービスを提供するために使用され得る。検査ソリューションプロバイダ３０４はまた、ソフトウェアを使用することによって、一定のハードウェア（例えば、ＮＤＴ検査デバイス１２の過去のモデルを改変するために使用されるＷＩＦＩモジュール）を使用することによって、又はその組合せを使用することによって、例えば、デバイス１２、２２、２９のプラットフォーム能力を更新するのに適した技法を提供し得る。例えば、検査ソリューションプロバイダ３０４は、デバイス１２、２２、及び２９において使用する、実行する、かつ／又は表示するのに適したソフトウェアアプリケーション及び他のコンテンツを作成し、そのコンテンツを、例えばデジタルストア３２６又は他の配信チャネル内に置き得る。ＮＤＴ検査デバイス１２上でのデジタルコンテンツの自動更新、ソフトウェア及びハードウェアアセットの管理、デジタルコンテンツ３２０のより効率的な購入及び収益共有、並びにユーザプロフィールを維持するための改良型技法を含む他の技法が、ＮＤＴエコシステム３００等の本明細書で述べる技法を使用することによって提供され得る。
【００６４】
アプリケーション／コンテンツ開発者３１４は、例えばデジタルコンテンツビルダソフトウェア３２５を使用してＮＤＴ検査デバイス１２によって実行可能か又は表示可能なアプリケーション及び他のデジタルコンテンツ３２０（例えば、ファームウェア、プラットフォームＡＰＩ、プラットフォームサポートソフトウェア）を作成し得る。実際には、アプリケーション開発者３１４の役割は、特定のＮＤＴ検査及び／又はＮＤＴ検査デバイス１２用のＮＤＴアプリケーションを構築することを含み得る。いくつかの実施形態では、ＮＤＴアプリケーションは、デジタルコンテンツビルダ３２５を使用して開発され得る。デジタルコンテンツビルディングソフトウェア３２５は、実行可能コンテンツ３２２及び非実行コンテンツ３２４を作成するときに有用な、言語コンパイラ、インタープリタ、エミュレータ（例えば、ＮＤＴ検査デバイス１２エミュレータ）、デバッギングフィーチャ、グラフィカルユーザインタフェース（ＧＵＩ：ｇｒａｐｈｉｃａｌ  ｕｓｅｒ  ｉｎｔｅｒｆａｃｅ）ビルダ、データベース接続ビルダ、及び同様なものを含み得る。更に、デジタルコンテンツビルディングソフトウェア３２５は、デジタルコンテンツ３２０を開発するときに有用な、「予め準備された（ｃａｎｎｅｄ）」人エキスパートの知識及び経験を含む得る知識ベースシステム（例えば、エキスパートシステム、エキスパート推論システム、ファジーロジックシステム、ヒューリスティック推論システム）を含む外部システム３２７に対する繋ぎ込み（ｔｉｅ−ｉｎ）を含み得る。
【００６５】
アプリケーション、訓練マニュアル、ユーザマニュアル、及び他の関連文書を含むデジタルコンテンツ３２０が開発されると、アプリケーション開発者は、デジタルストア３２６による配信のためにデジタルコンテンツをアップロードし得る。示す実施形態では、自動化認証システム３２９は、デジタルコンテンツ３２０の真正性をチェックし、デジタルコンテンツ３２０が、例えば検査ソリューションプロバイダ３９４によってパブリッシュされたパブリッシング指針に適合することを保証し得る。更に、デジタルコンテンツ３２０は、例えば、デジタル証明書を作成するために、サードパーティ認証局とやりとりするために、デジタルコンテンツ３２０を暗号化するために、またより一般的にはＮＤＴエコシステム３００に対するセキュアアクセスを提供するために適したセキュリティ／証明書システム３３１によって処理され得る。
【００６６】
先に述べたように、エンティティ３０２、３０４、３０６、３０８、３１０、３１２、及び３１４の全てがデジタルコンテンツ３２０を作成し得る。例えば、アセットＯＥＭ３１０又は他のパーティは、ＮＤＴアプリケーションエコシステム３００を通して、検査マニュアル、検査手順、訓練マニュアル、訓練手順、マルチメディアコンテンツ、対話型コンピュータシミュレーション、ビデオ、ソフトウェアアプリケーション、及び同様なものをパブリッシュする可能性がある。実際には、全てのエンティティ３０２、３０４、３０６、３０８、３１０、３１２、及び３１４が同様のデジタルコンテンツを作成しパブリッシュし得る。したがって、アセット所有者３０２及び／又はアセット検査プロバイダ３１２は、アセットＯＥＭ３１０、検査ソリューションプロバイダ３０４、規制エンティティ３０６、及び／又は他のエンティティ３０８によって作製されるデジタルコンテンツ３２０を購入し、以下でより詳細に述べるように、更新済みコンテンツ３２０を受信するため、更新済みコンテンツ３２０を「申込み（ｓｕｂｓｃｒｉｂｅ）」得る。アセット検査プロバイダ３１２は、アセットの検査の訓練コンテンツ等のデジタルコンテンツ３２０を作成し得る、又は、デジタルストア３２６を通して検査サービスを販売し得る。同様に、アプリケーション開発者３１４は、プロセス１５０又はプロセス１５０の所定の部分を支援し、デバイス１２、２２、２９によって実行可能な種々のソフトウェアアプリケーションを販売し得る。エンティティ３０２、３０４、３０６、３０８、３１０、３１２、及び３１４によって作成される全てのデジタルコンテンツ３２０は、例えばライセンス／アセット管理システム３３３を使用することによって管理されて、デジタルコンテンツ３２０のより効率的な更新、展開、及び同様なものを提供し、デジタル著作権管理（ＤＲＭ：ｄｉｇｉｔａｌ  ｒｉｇｈｔｓ  ｍａｎａｇｅｍｅｎｔ）を含むコンテンツ３２０のライセンス供与を監視し得る。他のシステム３３６は、クラウドベースストレージシステム、スケーラブル処理システム、データ分析システム、データベース、仮想機械、負荷バランサ、及び同様なもの等のクラウドコンピューティング２４を支援するときに有用なシステムを含み得る。
【００６７】
ハードウェアはまた、ＮＤＴ検査デバイス１２アクセサリ、ＮＤＴ検査デバイス１２用のハードウェアプラットフォームアップグレード、及び同様なもの等のデジタルストア３２６を使用することによって購入され得る。ＮＤＴビジネスプラットフォームを提供することによって、ＮＤＴエコシステム３００は、エンティティ３０２、３０４、３０６、３０８、３１０、３１２、及び３１４の間の収益共有を可能にし得る。例えば、アプリケーション開発者３１４、アセットＯＥＭ３１０、及び検査ソリューションプロバイダ３０４は、収益共有ポリシーを締結し（ｅｎｔｅｒ  ｉｎｔｏ）得る。クレジット、デビット、またより一般的にはＮＤＴエコシステム３００に関連する課金情報を管理するのに有用な課金管理システム３３４が更に設けられ得る。例えば、エンティティ３０２、３０４、３０６、３０８、３１０、３１２、及び３１４のそれぞれ、並びに他のユーザは、１つ又は複数のストア３２６アカウントをシステム３３４によって管理された状態に維持し得る。各エンティティ３０２、３０４、３０６、３０８、３１０、３１２、及び３１４並びに他にユーザに関連する販売及び購入は、その後、相応して貸方に記入されるか又は借方に記入され（ｃｒｅｄｉｔｅｄ  ｏｒ  ｄｅｂｉｔｅｄ）得る。関連する方法で、ライセンス供与／アセット管理システム３３３は、エンティティ３０２、３０４、３０６、３０８、３１０、３１２、及び３１４のアカウントを、ＮＤＴ検査デバイス１２及びＮＤＴ検査デバイス１２に関連するデジタルコンテンツ３２０等のアセットを管理するときに有用であるよう維持し得る。例えば、デジタルコンテンツ３２０が検査プロバイダ３１２によって購入されると、検査プロバイダ３１２は、以下でより詳細に述べるように、ライセンス供与／アセット管理システム３３３にログインして、アカウントに挙げられるソフトウェアアセット（例えば、デジタルコンテンツ３２０）及び相関性があるハードウェアアセット（例えば、検査される機器、ＮＤＴ検査デバイス１２）を閲覧し、それにより、ソフトウェアアセットとハードウェアアセットとの間のリンクを作成する、リンクを更新する、リンクを削除する等を行う可能性がある。したがって、ＮＤＴ検査デバイス１２、モバイルデバイス２２、及びコンピューティングシステム２９は、デジタル著作権管理（ＤＲＭ）コンポーネントを含むことができ、デジタル著作権管理（ＤＲＭ）コンポーネントは、デジタルコンテンツ３２０と共にライセンスがダウンロードされることを強制する（ｅｎｆｏｒｃｅ  ｌｉｃｅｎｃｅｓ  ｄｏｗｎｌｏａｄｅｄ  ｗｉｔｈ  ｔｈｅ  ｄｉｇｉｔａｌ  ｃｏｎｔｅｎｔ  ３２０）ために使用されて、デジタルコンテンツ３２０のランタイムライセンス供与を可能にし得る。
【００６８】
ＮＤＴ検査デバイス１２を使用する検査１５４の始動中に、ＮＤＴ検査デバイス１２が、その後、ＮＤＴエコシステム３００に接続し、対応する非実行コンテンツ３２４（例えば、マニュアル、履歴検査結果、分析報告、訓練マルチメディア）と共に全ての実行可能コンテンツ３２２（例えば、アプリケーション、コンフィギュレーションファイル、コンフィギュレーション関連ファイル）が自動的にダウンロードされ、デバイス１２が、検査１５４中にダウンロードされたコンテンツを使用するように構成され得る。例えば、デバイス１２は、特定の航空機１０４のテール番号を受信又はスキャンし、航空機１０４のモデル、航空機１０４のコンポーネント（例えば、エンジン、機体）、特定のテール番号の履歴ログ、テール番号に関して実施される分析、メンテナンスログ、運転ログ（例えば、機器の運転及び時間を記述する）等に関連する全てのデジタルコンテンツ３２０が、ＮＤＴ検査デバイス１２上に自動的にダウンロードされて、特定のテール番号の検査のためにＮＤＴ検査デバイス１２を構成し得る。実際には、シリアル番号、テール番号等によって識別される特定の機器を含む機器が使用されて、特定の機器を検査することに的を絞った、ＮＤＴ検査デバイス１２によって実行されるように構成される検査アプリケーションソフトウェアを含むデジタルコンテンツ３２０のカスタムパッケージをダウンロードし得る。したがって、より効率的でかつ焦点を絞った検査が実現され得る。実際には、ＮＤＴエコシステム３００を使用することによって、例えば、より効率的な購入、ライセンス管理、ＮＤＴ検査デバイス１２の展開、及びメンテナンス／更新を可能にするのに適した種々のプロセスが、以下でより詳細に述べるように提供され得る。ＮＤＴエコシステム３００によって提供される機能の全てが、ＮＤＴエコシステム３００の１つだけのコンポーネント内に、コンポーネントの２つ以上のコンポーネント内に、又はＮＤＴエコシステム３００のコンポーネントの任意の組合せ内に含まれ得ることが留意される。例えば、いくつかの実施形態では、デジタルストア３２６は、ライセンス供与／アセット管理システム３３３、認証システム３２９、セキュリティ／証明書システム３３１、課金管理システム３３４、その組合せ、又は、システムによって提供される能力のうちの任意の能力を含み得る。
【００６９】
図９は、ＮＤＴエコシステム３００を使用することによって配信され得るデジタルコンテンツ３２０の一実施形態を示す。示す実施形態では、ライセンス供与／アセット管理システム３３３は、コンテンツ３２０の配信の少なくとも２つのカテゴリ、すなわち、デジタルコンテンツ３２０の複製が許容されない「ノーコピー（ｎｏ  ｃｏｐｙ）」カテゴリ３４０、及び、デジタルコンテンツの複製が完全に許容される「フルコピー（ｆｕｌｌ  ｃｏｐｙ）」カテゴリ３４２を支援し得る。同様に、ライセンス供与／アセット管理システム３３３は、コンテンツ３２０の編集の少なくとも２つのカテゴリを支援し得る。例えば、「制限付きエディット（ｌｉｍｉｔｅｄ  ｅｄｉｔ）」カテゴリが支援されることができ、非著作者によるコンテンツの一部の編集が強制される（又は、編集が強制されない）。「フルエディット（ｆｕｌｌ  ｅｄｉｔ）」カテゴリ３４６は、非著作者によるコンテンツ３２０の完全な編集が許容されるときに使用され得る。したがって、デジタルコンテンツ３２０は、複製及び制限付き編集が全く強制されない「サードパーティロック式（３ｒｄ  ｐａｒｔｙ  ｌｏｃｋｅｄ）」デジタルコンテンツ３４８、及び、完全な複製であるが制限付き編集が許容される「社内ロック式（ｉｎ−ｈｏｕｓｅ  ｌｏｃｋｅｄ）」デジタルコンテンツ３５０を含み得る。同様に、完全な編集が許容されるが、複製が許容されない「サードパーティオープン（３ｒｄ  ｐａｒｔｙ  ｏｐｅｎ）」デジタルコンテンツ３５２、及び、完全な編集及び完全な複製が許容される「社内オープン（ｉｎ−ｈｏｕｓｅ  ｏｐｅｎ）」デジタルコンテンツ３５４が設けられ得る。ＤＲＭ及び他の技法が、ライセンス供与／アセット管理システム３３３によって使用されて、カテゴリ３４０、３４２、３４４、及び３４６を強制し得る。コンテンツは、デジタルストア３２６によって及び／又はＮＤＴエコシステム３００内の他の配信チャネル（例えば、ファイル転送プロトコル[ｆｔｐ]サーバ、ウェブサーバ、クラウドベースストレージドライブ）によって配信され得る。コンテンツ３２０はまた、ｓｓｄ（ｓｏｌｉｄ  ｓｔａｔｅ  ｄｅｖｉｃｅ：固体デバイス）、サムドライブ、ＮＤＴ機器とモバイルデバイス（又はラップトップＰＣ）との間のワイヤードコンジット等のようなメディアデバイスを使用して送信され得る。
【００７０】
したがって、顧客は、例えば、フィルタによる探索、文脈探索、入力しながらの探索（ｓｅａｒｃｈ−ａｓ−ｙｏｕ−ｔｙｐｅ）、ブール探索等を使用して、オンラインデジタルコンテンツを探索して、デジタルストア３２６及び／又は他の配信チャネルによって提供されるデジタルコンテンツ３２０を見出し得る。所望のコンテンツ３２０が見出されると、ユーザ（例えば、エンティティ３０２、３０４、３０６、３０８、３１０、３１２、３１４、及び他のエンティティ）は、課金管理システム３３４によって管理されるアカウント情報を用いてデジタルストア３２６を使用することによってデジタルコンテンツの代金を支払い得る。クレジットカード、デビットカード、購入注文、クーポン、銀行振込み、オンライン支払い（例えば、ＰａｙＰａｌ、ＢｉｔＣｏｉｎ）、及び同様なものを含む複数の支払いオプションが支援され得る。タイムベースライセンス（例えば、１年に１回消滅する年間ライセンス、無期限ライセンス、月間ライセンス、週間ライセンス）、単独使用ライセンス又は使用ごとのライセンス（デジタルコンテンツ３２０の単独使用後に消滅し、別の使用のために期間延長される可能性がある）、日付駆動式ライセンス（ｄａｔｅ  ｄｒｉｖｅｎ  ｌｉｃｅｎｓｅ）（例えば、３０日トライアルライセンス）、ボリュームベースライセンス（例えば、課金が、使用時間ごとである、かつ／又は、使用されるデータ量ごとである携帯電話プランと同様）等を含む複数のライセンス型が、ライセンス供与／アセット管理システム３３３によって支援され、ＤＲＭが強制され得る。２人以上のユーザ及び／又はＮＤＴ検査デバイス１２、モバイルデバイス２２、及びコンピューティングデバイス２９が使用するのに適した同じデジタルコンテンツ３２０の複数のシートもまた購入され得る。
【００７１】
顧客は、その後、検査手順等の購入したコンテンツの一部を編集するか又は新しいコンテンツを作成して、図９に関して先に述べたように、（例えば、デジタルストア３２６を使用することによって）共にＮＤＴエコシステム３００を通して配信し得る。或る場合には、顧客は、顧客が精査したユーザだけがデジタルコンテンツ３２０（及びハードウェア又はサービス）を購入し得るプライベートストア３３０を作成し得る。他の場合には、デジタルコンテンツ（及びハードウェア又はサービス）が大衆に販売され得るパブリックストア３２８が使用されるか又は作成され得る。他のストア３３６が使用されて、例えば輸出規制品物及びサービス等の制限品物及びサービスを販売し得る。
【００７２】
顧客アセット（例えば、コンテンツ３２０のようなソフトウェアアセット及びＮＤＴ検査デバイス１２のような関連するハードウェア）についてのアカウントは、ライセンス供与／アセット管理システム３３３を使用することによって提供され得る。複数のデバイス１２、２２、及び／又は２９が、所与の単一のアカウントについて管理され得る。デバイス１２、２２、及び／又は２９を、購入したデジタルコンテンツ３２０と同期させるのに適した、１ボタン同期化／展開が、以下でより詳細に述べるように設けられ得る。したがって、デバイス１２、２２、及び／又は２９は、地理的領域にわたってまた複数の言語で送出されるコンテンツを含むＮＤＴコンテンツ３２０に関して最新の状態に維持され得る。
【００７３】
ここで図１０を考えると、図は、ＮＤＴストア３２６を使用することによって品物及びサービスを購入するのに適したプロセス４００の一実施形態を示すフローチャートである。プロセス４００は、メモリ３１６に格納され、プロセッサ３１８によって実行されるコンピュータ実行可能命令を使用することによって実装され得る。示す実施形態では、ユーザ（例えば、３０２、３０４、３０６、３０８、３１０、３１２、及び／又は３１４）は、ＮＤＴ品物及びサービス（例えば、デジタルコンテンツ３２０）を探索し（ブロック４０２）、探索に基づいて製品詳細ページ４０３に注意を向け得る。探索（ブロック４０２）は、ＮＤＴ検査デバイス１２、モバイルデバイス２２、コンピューティングシステム２９、又はその組合せによって実施され得る。ユーザは、その後、製品をオンラインカートに追加し（ブロック４０６）得る。プロセス４００は、その後、ユーザがログインしたかどうかを判定し（ブロック４０８）得る。ユーザがログインしていない場合、ユーザは、その後、ログインし（ブロック４１０）得る。ユーザは、その後、アカウントを作成し（ブロック４１２）得る。ユーザがログインすると、支払方法が決定され（意思決定４１４）得る。支払方法が購入注文４１６である場合、ユーザは、その後、購入注文（ＰＯ：ｐｕｒｃｈａｓｅ  ｏｒｄｅｒ）情報を入力し（ブロック４１８）、プロセス４００は、その後、受領（ｒｅｃｅｉｐｔ）を示し（ブロック４２０）、その後、デジタルストア３２６を使用することによってデジタルコンテンツ３２０のダウンロードを可能にし（ブロック４２２）、アカウント情報を含むアプリケーションコンテンツ情報を「自分のアプリケーション（Ｍｙ  Ａｐｐｓ）」システムに追加し（ブロック４２４）得る。ライセンス購入は、同様に、「自分の財布（Ｍｙ  Ｗａｌｌｅｔ）」システムに追加され得る。「自分のアプリケーション（Ｍｙ  Ａｐｐｓ）」及び「自分の財布（Ｍｙ  Ｗａｌｌｅｔ）」等のシステムが、単一システムになるように組み合わされ、また、ＮＤＴエコシステム３００の任意の単一コンポーネント（例えば、デジタルストア３２６）又はコンポーネントの組合せによって提供される可能性があることが理解される。
【００７４】
支払方法が、クーポン４２６を含むと判定される（意思決定４１４）場合、プロセス４００は、その後、購入確認を要求し（ブロック４２８）得る。確認されると、受領が示され（ブロック４２０）、ダウンロード（ブロック４２２）及び／又は「自分のアプリケーション（Ｍｙ  Ａｐｐｓ）」に対する更新（ブロック４２４）が提供され得る。支払方法が、クレジットカード４２９を含むと判定される（意思決定４１４）場合、プロセス４００は、クレジットカード４２９情報が保存されたかどうかを判定し得る（意思決定４３０）。情報が保存された場合、プロセス４００は、その後、アドレス、有効期限、及び同様なもの等の情報の検証を可能にし（ブロック４３２）、その後、購入確認を要求し（ブロック４３４）得る。カード情報が受付けられる（ブロック４３６）場合、受領が示され（ブロック４２０）、ダウンロード（ブロック４２２）及び／又は「自分のアプリケーション（Ｍｙ  Ａｐｐｓ）」に対する更新（ブロック４２４）が提供され得る。カードが受付けられない（ブロック４３６）場合、プロセス４００は、意思決定４１４に戻って反復し、支払方法を要求し得る。
【００７５】
カード情報が保存されない場合（意思決定４３０）、ユーザは、請求先アドレス、名前、日付、セキュリティ番号、及び同様なもの等のクレジットカード情報を入力し（ブロック４３８）得る。プロセス４００は、その後、購入確認を要求し（ブロック４４０）得る。残高が存在すると判定される場合（意思決定４４２）、プロセス４００は、意思決定４１４に戻って反復し、支払方法を要求し得る。残高が存在しない場合、プロセス４００は、受領を示し（ブロック４２０）、ダウンロード（ブロック４２２）及び／又は「自分のアプリケーション（Ｍｙ  Ａｐｐｓ）」に対する更新（ブロック４２４）が提供され得る。したがって、種々の支払い方法が使用されて、オンラインストア３２６内のデジタルコンテンツ３２０を含む品物及びサービスを購入し得る。
【００７６】
図１１は、ライセンス供与／アセット管理システム３３３を使用してライセンスを割当てるかつ／又は削除するのに適したプロセス４５０の一実施形態を示すフローチャートである。プロセス４５０は、メモリ３１６に格納され、プロセッサ３１８によって実行されるコンピュータ実行可能命令を使用することによって実装され得る。示す実施形態では、ユーザは、「自分の財布（Ｍｙ  Ｗａｌｌｅｔ）」システム４５２にログインし得る。システム４５２は、ＮＤＴ検査デバイス１２、モバイルデバイス２２、及び／又はコンピューティングシステム２９内の或るデジタルコンテンツ３２０を使用するためのライセンス等の購入済みのライセンスを含み得る。ユーザ（例えば、３０２、３０４、３０６、３０８、３１０、３１２、及び３１４）は、システム４５２を使用して、例えば、ＮＤＴ検査デバイス１２、モバイルデバイス２２、コンピューティングシステム２９、及び／又は一般的にユーザにライセンスを割当て（ブロック４５４）得る。しかし、ライセンスが入手可能でないと判定される場合（意思決定４５６）、プロセス４５０はエラーメッセージを発し（ブロック４５８）得る。ライセンスが入手可能である（意思決定４５６）が、複製ライセンスが存在すると判定される場合（意思決定４６０）、プロセス４５０はエラーメッセージを発し（ブロック４５８）得る。
【００７７】
複製が存在しないと判定される場合（意思決定４６０）、プロセス４５０は、デバイス１２、２２、及び／又は２９オブジェクトを更新し（ブロック４６２）、ユーザライセンスのカウントを減分し得る。オブジェクトは、コンテンツを対応するデバイス１２、２２、及び／又は２９と同期化するために使用され得る、物理的デバイス１２、２２、及び／又は２９の仮想又はオンライン表現であり得る。プロセス４５０は、その後、例えば電子メールによって、ライセンスの割当ての確認を発し（ブロック４６４）得る。
【００７８】
物理的デバイス１２、２２、及び／又は２９に割当てられたライセンスを削除する（ブロック４６６）ため、プロセス４５０は、例えばユーザ入力によって、例えば「自分の財布（Ｍｙ  Ｗａｌｌｅｔ）」システム４５２によって維持されるデバイスのリストからデバイスを選択し（ブロック４６８）得る。プロセス４５０は、その後、図１２でより詳細に述べる次の同期化において更新（例えば、ライセンスの削除）が起こり得ることをユーザに通知し（ブロック４７０）得る。遅延が存在する（ブロック４７２）場合があり、一方、同期化（ブロック４７３）が起こる。同期化（ブロック４７３）後に、プロセス４５０は、物理的デバイス１２、２２、及び／又は２９に関連するオブジェクトを更新し（ブロック４７４）、ライセンスカウントを増分し、その後、例えば電子メールによってライセンスの削除の確認を発し（ブロック４７６）得る。したがって、ライセンスは、デバイス１２、２２、及び／又は２９の任意のデバイスに割当てられるか再割当てされ得る。ライセンスが使用されて、実行権、使用権、表示権、又はその組合せを管理し得る。例えば、実行権は、デバイス１２、２２、２９又はクラウド２４内のコンテンツを実行する権利を含み得る。使用権は、著作権（例えば、コンテンツ３２０を複製し、コンテンツ３２０の派生作品を作成する権利）によって提供される権利、コンテンツ３２０をパブリッシュし、コンテンツ３２０を販売し、コンテンツ３２０をホストするコンピューティングシステムにアクセスし、コンテンツ３２０をリバースエンジニアする権利、コンテンツ３２０のアクセス制御に基づく権利（例えば、ＤＲＭ権）等を含み得る。ライセンス供与は、クラウド２４及び又はデバイス１２、２２、２９に格納されるライセンスを含み得る。クラウド２４内に格納されるとき、デバイス１２、２２、２９は、例えば、任意のコンテンツ３２０を実行する、使用する、かつ／又は表示するとき、クラウドベースライセンスに関して任意の制限があるかチェックし得る。
【００７９】
図１２は、デバイス１２、２２、及び／又は２９を、例えば購入済みでかつライセンス供与済みのデジタルコンテンツ３２０と同期化するのに適したプロセス４８０の一実施形態を示すフローチャートである。プロセス４８０は、メモリ３１６に格納され、プロセッサ３１８によって実行されるコンピュータ実行可能命令を使用することによって実装され得る。示す実施形態では、ユーザは、デバイスメニュー４８２にインタフェースして、「同期化（ｓｙｎｃｈｒｏｎｉｚｅ）」活動を選択し（ブロック４８４）得る。同期化活動はまた、例えばデジタルコンテンツ３２０が変化したことを導き出すとすぐに又はデジタルコンテンツ３２０の変化（例えば、追加、更新、削除）の通知を受信するとすぐに自動的に実行され得る。同期化（ブロック４８４）はまた、デバイス１２、２２、２９のうちの任意のデバイスを始動させるとすぐに起こるか又は再帰的方式で（例えば、１時間に一回、１日に一回、１週間に一回、１か月に一回、１年に一回）起こるようにスケジュールされ得る。管理者又は他の人又はソフトウェアエンティティもまた、例えば、所望されると、又は、デジタルコンテンツ３２０に対する変化の通知を受信する（例えば、電子メールを受信する）とすぐに、遠隔で同期化活動（ブロック４８４）を始動し得る。通知は、更に、デバイス１２、２２、２９に送出されて、デバイス１２、２２、２９は、例えば、同期化（ブロック４８４）を始動するためのボタン、メニューアイテム、及びコントロールと共に通知を表示し得る。プロセス４８０は、その後、デバイス１２、２２、及び／又は２９が、例えば、以下の図１３に関してより詳細に述べるデバイスデータベース内で見出されるかどうかを判定し（意思決定４８６）得る。デバイスがデバイスデータベース内にないと判定される場合（意思決定４８６）、プロセス４８０は、エラーメッセージを発し（ブロック４８８）、エグジットし得る。デバイスがデバイスデータベース内あると判定される場合（意思決定４８６）、プロセス４８０は、その後、購入されライセンス供与されたコンテンツ３２０をデバイス１２、２２、及び／又は２９にダウンロードするのに十分なメモリ空間がデバイス１２、２２、及び／又は２９内に存在するかどうかを判定し（ブロック４９０）得る。コンテンツを同期化するための決定因子（ブロック４９０）はまた、ＮＤＴ機器ファームウェア／ＯＳソフトウェア及び所望のデジタルコンテンツ３２０との適合性を含み得る。例えば、或るデジタルコンテンツ３２０及びそのコンテンツ内のフィーチャは、或るＮＤＴ機器ハードウェア／ソフトウェアプラットフォーム及び／又はファームウェア／ＯＳソフトウェアバージョン上で実行され得るだけである。十分な空間が存在しないか又はＮＤＴ検査デバイス１２が所望のコンテンツ３２０に適合性がないと判定される場合（意思決定４９０）、プロセス４８０は、その後、メモリにピッタリ合うことができ、かつ／又は、ＮＤＴ検査デバイス１２に適合性がある実行可能コンテンツ３２２アプリケーション等のデジタルコンテンツの部分集合の選択を可能にし（ブロック４９２）得る。
【００８０】
十分な空間が存在すると判定される場合（意思決定４９０）、プロセス４８０は、その後、ファームウェアを含み得る選択されたコンテンツ３２０を、デバイスのメモリに入るよう増分的に同期化し（ブロック４９４）得る。例えば、メモリは、コンテンツ３２０を追加するため増分的に「フラッシングされ（ｆｌａｓｈｅｄ）」得る。コンテンツ３２０が追加されると、プロセス４８０は、その後、コンテンツ３２０の同期化を示す状態メッセージを表示し（ブロック４９６）得る。より効率的なＮＤＴベース同期化プロセス４８０を可能にすることによって、本明細書で述べる技法は、エンティティ及び地理的場所にわたってより容易に配信される種々のコンテンツ３２０を提供し得る。
【００８１】
ここで図１３を考えると、図は、ＮＤＴ検査デバイス１２、モバイルデバイス２２、及び／又はコンピューティングシステム２９等のデバイスをＮＤＴエコシステム３００に追加するのに適したプロセス５００の一実施形態を示すフローチャートである。例えば、ユーザ（例えば、３０２、３０４、３０６、３０８、３１０、３１２、及び３１４）は、ライセンス供与／アセット管理システム３３３にログインし、「自分の機器（Ｍｙ  Ｉｎｓｔｒｕｍｅｎｔｓ）」システム５０２を使用して、デバイスを追加し（ブロック５０４）得る。示す実施形態では、デバイスは、デバイス１２、２２、及び／又は２９それ自身の上のデバイス割当て（例えば、ボタン、メニューアイテム）をアクティブ化又はクリックする（ブロック５０６）ことによって追加され、その後、システム５０２と通信し得る。例えばシステム５０２によって送出されるアクティブ化パスキーは、デバイス１２、２２、及び／又は２９上で或は別のデバイス内で受信され（ブロック５０８）得る。ユーザは、その後、シリアル番号及びアクティブ化キーをスクリーン（例えば、自分の機器（Ｍｙ  Ｉｎｓｔｒｕｍｅｎｔ）スクリーン）に、又は、追加されるデバイスを識別するときに使用される他の識別情報を、例えばストア３２６によって維持されるデバイスのリストに入力し（ブロック５１０）得る。その情報は、妥当性についてチェックされ（意思決定５１２）、好結果でない場合、プロセス５００は、エラーメッセージを発し（ブロック５１４）得る。情報が有効であると判定される場合（意思決定５１２）、プロセス５００は、例えばユーザのアカウントにリンクされたデバイスデータベースにデバイスを追加し、実行を終了し（ブロック５１６）得る。別の実施形態では、デバイス１２、２２、２９に埋め込まれるか又はデバイスに追加される情報は、デバイスを自動的に認証するために使用され得る。したがって、プロセス５００は、エコシステム３００に参加するためにより効率的にデバイス１２、２２、及び／又は２９に委託するか又はデバイス１２、２２、及び／又は２９をその他の方法で追加し得る。
【００８２】
本発明の技術的効果は、アセット所有者、検査ソリューションプロバイダ、規制エンティティ、アセットＯＥＭ、アセット検査プロバイダ、及びアプリケーション開発業者を含むが、これに限定されないパーティ間での協働を増加させるときに有用なＮＤＴエコシステムを提供することを含む。
【００８３】
この書面による説明は、最良モードを含む本発明を開示するために、また同様に、任意のデバイス又はシステムを作り使用すること、及び、組込まれる任意の方法を実施することを含む、本発明を当業者が実施することを可能にするために例を使用する。本発明の特許可能な範囲は、特許請求の範囲によって規定され、当業者が思い付く他の例を含み得る。こうした他の例は、特許請求の範囲の逐語的言語と異ならない構造的要素を有する場合、又は、特許請求の範囲の逐語的言語と非実質的相違を有する等価な構造的要素を含む場合、特許請求の範囲内にあることを意図される。
【符号の説明】
【００８４】
１０  分散型非破壊試験（ＮＤＴ）システム／分散型ＮＤＴシステム
１２  ＮＤＴ検査デバイス
１４  ボアスコープ
１５、１９、２３、９３、９７、１０１  プロセッサ
１６  パンチルトズーム（ＰＴＺ）カメラ
１７、２１、２５、９５、９９、１０３  メモリ
１８  ターボ機械
２０  設備又はサイト
２２  モバイルデバイス
２４  クラウド
２６  ボアスコープオペレータ
２８  モバイルデバイスオペレータ
２９  コンピューティングシステム
３０  カメラオペレータ
３２  燃料ノズル
３４  圧縮機
３８  空気取込みセクション
４０、４２、４４、６０、６２、６４  段
４６  固定ベーン
４８  ブレード
５０、６８、７０、７２  回転ホイール
５２、７４  シャフト
５４  タービン
５６  ディフューザセクション
６６  タービンブレード
７６  ケーシング
８０  排気セクション
８６  パイプ又はコンジット
８４  機器
８８  水面下の場所
９０  湾曲部又は屈曲部
９２  渦電流検査デバイス
９４  超音波欠陥検出器
９６  ｘ線撮影デバイス
９８  渦電流オペレータ
１００  超音波デバイスオペレータ
１０２  ｘ線撮影オペレータ
１０４  航空機システム
１０６  設備
１０８  パイプ
１１２  鉄又は非鉄材料
１１４  部品
１１６  コンポーネント
１１８  挿入管
１２０  ヘッド端セクション
１２２  関節連結セクション
１２４  コンジットセクション
１２６  カメラ
１２８  光源
１３０  センサ
１３１  物理的ジョイスティック
１３３  ＸＹＺ軸
１３４  画像及びビデオ
１３５、１３７  スクリーン
１３６  先端部
１４０  センサ
１６２  ワイヤレスコンジット
１５２  計画
１５４  検査
１５６  分析
１５８  報告
１６０  共有
１６４  認証データ
１６６  スクリーンスクレイピングデータ
１６８  オーバレイデータ
１７０  画像／ビデオ
１７２  同期化データ
１７４  センサデータ
１７６  力フィードバックデータ
１７８  位置データ
１８０  物体データ
１８２  他のデータ
３００  ＮＤＴエコシステム
３０２  アセット所有者
３０４  検査ソリューションプロバイダ／機器製造業者
３０６  規制エンティティ
３０８  他のエンティティ
３１０  アセットＯＥＭ
３１２  アセット検査プロバイダ
３１４  アプリケーション開発業者
３１６  メモリ
３１８  プロセッサ
３２０  デジタルコンテンツ
３２２  実行可能コンテンツ
３２４  非実行コンテンツ
３２５  デジタルコンテンツビルダ
３２６  実行可能コンテンツストア
３２９  認証システム
３３１  セキュリティ／証明書システム
３３３  ライセンス供与／アセット管理
３３４  課金管理システム
３３６  他のシステム
【図１】
0006416782.tif 000002
【図２】
0006416782.tif 000003
【図３】
0006416782.tif 000004
【図４】
0006416782.tif 000005
【図５】
0006416782.tif 000006
【図６】
0006416782.tif 000007
【図７】
0006416782.tif 000008
【図８】
0006416782.tif 000009
【図９】
0006416782.tif 000010
【図１０】
0006416782.tif 000011
【図１１】
0006416782.tif 000012
【図１２】
0006416782.tif 000013
【図１３】
0006416782.tif 000014